(57)【要約】【課題】発射装置に供給するための揚送装置の清掃作業や、異物の除去等のメンテナンス性に優れた弾球遊技機を提供すること。【解決手段】発射装置５００に向けて遊技球を揚送する揚送装置４００は、遊技球の揚送経路を形成する揚送ケース４０２と、前記揚送ケース内部に収容され、該揚送ケース４０２内部の遊技球を揚送する揚送部材４０３と、前記揚送部材を駆動させるための揚送駆動装置４１０と、から構成されており、少なくとも前記揚送部材４０３は弾球遊技機の本体２００から分離自在に構成されている。【選択図】　　図２９
2004105388.tif 000002
【特許請求の範囲】
【請求項１】
弾球遊技機の下部位置に設けられ、遊技に使用するための遊技球を貯留するための打球貯留部と、該打球貯留部に貯留されている遊技球を揚送するための揚送装置と、弾球遊技機の上部側方位置に設けられ、該揚送装置にて揚送された遊技球を遊技機枠に取り付けられた遊技盤上に形成された遊技領域内に打ち出すための発射装置と、を備える弾球遊技機において、
前記揚送装置は、遊技球の揚送経路を形成する揚送ケースと、
前記揚送ケース内部に収容され、前記揚送ケース内部の遊技球を揚送する揚送部材と、
前記揚送部材を駆動させるための揚送駆動装置と、
から構成されており、少なくとも前記揚送部材は弾球遊技機の本体から分離自在に構成されていることを特徴とする弾球遊技機。
【請求項２】
前記揚送部材と前記揚送ケースとは一体的にユニット化されて揚送経路ユニットとして構成されており、該揚送経路ユニットが弾球遊技機の本体から分離自在に構成されている請求項１に記載の弾球遊技機。
【請求項３】
前記揚送駆動装置は、前記揚送経路ユニットが弾球遊技機の本体から分離されている状態で弾球遊技機の本体から分離自在に構成されている請求項２に記載の弾球遊技機。
【請求項４】
前記揚送装置は、一体的にユニット化されて揚送装置ユニットとして構成されており、該揚送装置ユニットが弾球遊技機の本体から分離自在に構成されている請求項１に記載の弾球遊技機。
【請求項５】
前記揚送ケースは、少なくともその一部が透明部材により形成されている請求項１〜４のいずれかに記載の弾球遊技機。
【請求項６】
前記揚送ケースは、前記揚送経路の内部を開閉自在とする開閉蓋を備える請求項１〜５のいずれかに記載の弾球遊技機。
【請求項７】
前記揚送装置を、前記遊技盤の前面を覆うように開閉自在に設けられているガラス扉枠の内方に備える請求項１〜６のいずれかに記載の弾球遊技機。
【請求項８】
前記揚送装置は、揚送する遊技球を後続の遊技球に当接することなく単独状態にて揚送可能とされている請求項１〜７のいずれかに記載の弾球遊技機。
【請求項９】
前記揚送装置は、前記打球貯留部から供給された遊技球を前記揚送部材に供給するための揚送球供給手段を備え、該揚送球供給手段を手動にて動作させるための手動動作手段が設けられている請求項１〜８のいずれかに記載の弾球遊技機。
【請求項１０】
前記打球貯留部に供給された遊技球を前記揚送装置へ供給する誘導通路部材を備え、該誘導通路部材所定箇所には、内部の遊技球が逸脱不能な窓部が設けられている請求項１〜９のいずれかに記載の弾球遊技機。
【発明の詳細な説明】
【０００１】
【発明の属する技術の分野】
本発明は、遊技盤の盤面上に形成された遊技領域内に、弾球遊技機の上部側方位置から遊技球を打ち出して遊技を行う弾球遊技機に関する。
【０００２】
【従来の技術】
従来、遊技盤の盤面上に形成された遊技領域内に、該遊技盤の上部側方位置から遊技球を打ち出して遊技を行う弾球遊技機として、例えば遊技盤の上部側方（遊技機に向かって左側）位置に発射装置を設け、打球供給皿に貯留されている遊技球を、スプロケットにて揚送管内に数珠つなぎ状態で送り出して揚送することで発射装置に供給するもの等がある（例えば、特許文献１参照）。
【０００３】
【特許文献１】
特開昭５８−１６３３８８号公報（３頁、第１、２、７図）
【０００４】
【発明が解決しようとする課題】
これら遊技盤の上部側方位置から遊技球を打ち出して遊技を行う弾球遊技機は、発射装置を遊技機の下方位置のハンドル近傍に有するものに比較して、発射レールの設置等の制約を受けることがないため、遊技盤の大きさ、特には縦方向の大きさを大きくでき、近年における遊技盤のほぼ中央部位置に設けられている可変表示装置である液晶パネルの大型化にあって、これら液晶パネルの大型化による遊技盤形成への制約を解消することが可能となることから、その有用性が高まってきている。
【０００５】
しかしながら、上記特許文献１に記載された弾球遊技機にあっては、打球供給皿に貯留されている遊技球を遊技盤の上部側方に設けられている発射装置に供給するための揚送装置、特に遊技球が通過する揚送管内部が汚れたり、異物の混入等により球詰まり等が発生することが考えられるが、その際の清掃方法やメンテナンス作業方法等に関する提案はなされていなかった。
【０００６】
よって、本発明は上記した問題点に着目してなされたもので、発射装置に供給するための揚送装置の清掃作業や、異物の除去等のメンテナンス性に優れた弾球遊技機を提供することを目的としている。
【０００７】
【課題を解決するための手段】
前記した問題を解決するために、本発明の弾球遊技機は、弾球遊技機の下部位置に設けられ、遊技に使用するための遊技球を貯留するための打球貯留部と、該打球貯留部に貯留されている遊技球を揚送するための揚送装置と、弾球遊技機の上部側方位置に設けられ、該揚送装置にて揚送された遊技球を遊技機枠に取り付けられた遊技盤上に形成された遊技領域内に打ち出すための発射装置と、を備える弾球遊技機において、
前記揚送装置は、遊技球の揚送経路を形成する揚送ケースと、
前記揚送ケース内部に収容され、前記揚送ケース内部の遊技球を揚送する揚送部材と、
前記揚送部材を駆動させるための揚送駆動装置と、
から構成されており、少なくとも前記揚送部材は弾球遊技機の本体から分離自在に構成されていることを特徴としている。
この特徴によれば、少なくとも揚送部材を弾球遊技機の本体から分離することが出来るため、揚送ケース内部に混入した異物の除去作業や揚送部材の清掃等のメンテナンス作業を弾球遊技機以外の箇所で行うことが出来るため、メンテナンスの作業性が向上するとともに、弾球遊技機を汚すことなくメンテナンス作業を行うことが出来る。
【０００８】
本発明の弾球遊技機の前記揚送部材と前記揚送ケースとは一体的にユニット化されて揚送経路ユニットとして構成されており、該揚送経路ユニットごと弾球遊技機の本体から分離自在に構成されていることが好ましい。
このようにすれば、揚送ケース及びその内部に収容される揚送部材の弾球遊技機の本体から分離作業を容易に行うことが出来る。
【０００９】
本発明の弾球遊技機は、前記揚送駆動装置は、前記揚送経路ユニットが弾球遊技機の本体から分離されている状態で弾球遊技機の本体から分離自在に構成されていることが好ましい。
このようにすれば、揚送部材を駆動する揚送駆動装置も弾球遊技機の本体から分離することが出来るので、揚送部材や揚送ケースのみならず、装置全体のメンテナンス作業等を弾球遊技機以外の箇所で行うことが出来る。
【００１０】
本発明の弾球遊技機は、前記揚送装置は、一体的にユニット化されて揚送装置ユニットとして構成されており、該揚送装置ユニットが弾球遊技機の本体から分離自在に構成されていることが好ましい。
このようにすれば、揚送装置全体を弾球遊技機の本体から一度に分離出来ることで、揚送装置を弾球遊技機本体から容易に分離することが出来るため、営業中等における揚送装置のトラブルに対しても、迅速に対処することができる。
【００１１】
本発明の弾球遊技機の前記揚送ケースは、少なくともその一部が透明部材により形成されていることが好ましい。
このようにすれば、揚送ケース内部の揚送経路の状況を、揚送ケースや揚送部材等を弾球遊技機から分離することなく、外部から容易に視認することが出来る。
【００１２】
本発明の弾球遊技機の前記揚送ケースは、前記揚送経路の内部を開閉自在とする開閉蓋を備えることが好ましい。
このようにすれば、揚送ケース内部に混入した異物の除去作業や清掃作業等を、揚送ケースや揚送部材等を弾球遊技機から分離することなく、開閉蓋部を開放することで外部から容易に行うことが出来る。
【００１３】
本発明の弾球遊技機の前記揚送装置を、前記遊技盤の前面を覆うように開閉自在に設けられているガラス扉枠の内方に備えることが好ましい。
このようにすれば、揚送装置がガラス扉枠により保護されるばかりか、ガラス扉枠を開放することで揚送装置が外部に露出するため、営業中等における揚送装置のトラブルに対しても、迅速に対処することができる。
【００１４】
本発明の弾球遊技機の前記揚送装置は、揚送する遊技球を後続の遊技球に当接することなく単独状態にて揚送可能とされていることが好ましい。
このようにすれば、揚送経路内に残留する遊技球を極力すくなくすることが可能となり、これら揚送経路内に残留する遊技球の返却機構等による機構の複雑化を回避できるばかりか、揚送部材や揚送ケースの分離作業時において、これら残留する遊技球が大量に溢れだしてしまうことも回避できる。
【００１５】
本発明の弾球遊技機の前記揚送装置は、前記打球貯留部から供給された遊技球を前記揚送部材に供給するための揚送球供給手段を備え、該揚送球供給手段を手動にて動作させるための手動動作手段が設けられていることが好ましい。
このようにすれば、揚送球供給手段での球詰まりや異物の除去作業を、手動作業にて容易に行うことが出来る。
【００１６】
本発明の弾球遊技機は、前記打球貯留部に供給された遊技球を前記揚送装置へ供給する誘導通路部材を備え、該誘導通路部材所定箇所には、内部の遊技球が逸脱不能な窓部が設けられていることが好ましい。
このようにすれば、誘導通路部材内部に混入した異物の除去作業や、誘導通路部材の内部の遊技球の排出作業等を、誘導通路部材を取り外したりすることなく、窓部から針金等を挿入させることで容易に除去することが出来る。
【００１７】
【発明の実施形態】
以下、図面に基づいて本発明の実施形態を説明する。
【００１８】
（実施例１）
本実施例の弾球遊技機であるパチンコ機２は、該パチンコ機２の側部位置に１対１にて配置される遊技用装置であるカードユニット３とともに、図示しない遊技島の前後面に複数並設されて使用される。
【００１９】
これらパチンコ機２並びにカードユニット３が並設される遊技島の内部には、前記各パチンコ機２にパチンコ玉を供給する供給樋や、前記各パチンコ機２にて使用され、排出されたパチンコ玉を集めて前記供給樋に揚送する揚送装置等（図示略）が設けられているとともに、高さ方向略中央部には前記各カードユニット３より排出された紙幣を所定方向島端に設けられた回収ボックス（図示略）に搬送可能な紙幣搬送路（図示略）や、同様に前記各カードユニット３より排出された硬貨及びプリペイドカードを前記所定方向島端の回収ボックスに混合搬送可能な混合搬送路（図示略）が設けられている。
【００２０】
本実施例の弾球遊技機であるパチンコ機２を図に基づいて説明すると、該パチンコ機２は、図１及び図３に示すように、遊技機枠としての前面扉枠２００と、該前面扉枠２００の前面側に開閉自在に枢支され、中央にガラス板が設けられたガラス扉枠２０２と、前面扉枠２００を開閉自在に枢支する基枠２０１と、からなる。ガラス扉枠２０２の下部前面には、図４に示すように、貸し出された球並びに払い出された賞球を貯留するための打球貯留部としての打球供給皿２０３が一体に設けられている。打球供給皿２０３の上面所定箇所には、操作部１４が前面扉枠２００の前面に設けられているとともに、打球供給皿２０３の下部には、打球供給皿２０３から溢れた賞球を貯留する余剰玉受皿２０４と打球を発射する打球操作ハンドル（以下、操作ノブという）２０５とが設けられている。尚、図１中の２４１は、前記打球供給皿２０３を含むガラス扉枠２０２を開放操作するためのシリンダ錠である。
【００２１】
この操作部１４には、図４に示すように、遊技者により前記カードユニット３に設けられた後述するカード挿入口３１４に挿入された遊技用記録媒体であるプリペイドカードより読み出された遊技用価値である度数を表示する度数表示部１７と、遊技の開始または前記打球供給皿２０３に持玉が少なくなったか無くなった際に押圧操作されて、前記度数表示部１７に残度数が存在する場合に所定数量のパチンコ玉の貸出を実施するための貸出ボタン１６と、遊技を終了する際に押圧操作されることにより、前記カードユニット３に挿入されているプリペイドカードに新たな残度数が記録されて返却がなされる返却ボタン１５と、が設けられており、これら各部は操作部１４内部に設けられている操作基板１８上に実装されている。
【００２２】
次いで、前記ガラス扉枠２０２の内方には、図３に示すように、前面扉枠２００に遊技盤２０６が着脱可能に取付けられているとともに、前面扉枠２００の前面における遊技盤２０６の向かって左側方上部位置には、該遊技盤２０６に向けてパチンコ球を発射するための発射装置５００と、前記打球供給皿２０３に貯留されているパチンコ球を該発射装置５００に揚送するための揚送ユニット４００（揚送装置）と、が設けられており、前記打球供給皿２０３の下部位置には、該打球供給皿２０３に貯留されているパチンコ球を整列して揚送ユニット４００の下部ユニット４０１に繋がるクランク流路４１６並びに連結流路４１５に供給するように設けられた誘導傾斜樋２８３が設けられている。
【００２３】
打球供給皿２０３に貯留されているパチンコ球は、誘導傾斜樋流入口２３０（図４参照）から流出して誘導傾斜樋２８３を流下し、前記クランク流路４１６並びに連結流路４１５を通過して揚送ユニット４００の下端位置に設けられている下部ユニット４０１に供給され、該揚送ユニット４００にて発射装置５００に揚送、供給されて前記遊技盤２０６の前面に形成された遊技領域２０７に打ち出されるようになっており（図１７参照）、本実施例では、前記ガラス扉枠２０２の開放により、前記クランク流路４１６と連結流路４１５との間にて、流路が分離されるようになっている。
【００２４】
また、前記揚送ユニット４００を構成する揚送路の側方位置には、前記発射装置５００にて打ち出されたが、発射勢いが弱いために前記遊技領域２０７に到達しなかったファール球を流下させるためのファール球流路２９５が設けられており、該ファール球流路２９５の下端部には、後述する賞球通路２７３に繋がるファール球流入口２８８が設けられており、前記ファール球が該ファール球流路２９５、ファール球流入口２８８、賞球通路２７３を通じて打球供給皿２０３或いは余剰玉受皿２０４に返却されるようになっている（図１８参照）。
【００２５】
また、揚送ユニット４００を構成する揚送路内にパチンコ球を供給する揚送球供給手段となる下部ユニット４０１の直近位置となる前記連結流路４１５の上流位置、つまりは、ガラス扉枠２０２の開放により分離されて離脱する部分には、クランク流路４１６、誘導傾斜樋２８３並びに前記打球供給皿２０３に停留するパチンコ球（待機球）を、前記余剰玉受皿２０４に流下させるための抜き取り手段としての待機球返却部４２０が設けられており、図１並びに図２０に示すように、該待機球返却部４２０に対応する位置となる打球供給皿２０３の下方左部位置に設けられた返却操作ボタン２９６を押圧操作することで、パチンコ球（待機球）の返却（抜き取り）が実施される。
【００２６】
この本実施例に用いた待機球返却部４２０の構成は、図２０並びに２１に示すように、待機球返却部４２０の下部に形成された待機球返却樋２４２にパチンコ球を流入させるための開口４２１が形成され、前記誘導傾斜樋２８３の終端に形成されたクランク流路４１６の流路下面にスライド自在に配置されたスライド板４２３が、前記操作ボタン２９６の押圧操作により前後方向に移動する連結棒４２４に固定されていて、該連結棒４２４の移動に伴ってスライド板４２３が前後方向にスライドするとともに、前記連結棒４２４にはスプリング４２２が前記連結棒４２４を前方（外方）方向、つまりはスライド板４２３が開口４２１を塞ぐ方向に付勢するように張架された構成とされていて、図２１（ｂ）に示すように、通常にあっては、前記スプリング４２２にてスライド板４２３が前方方向へ付勢されることにより、前記スライド板４２３が開口４２１を塞ぐことで、スライド板４２３上をパチンコ球が通過して、連結流路４１５を通じて揚送ユニット４００にパチンコ球が供給される一方、前記操作ボタン２９６の操作時にあっては、図２１（ａ）に示すように、該操作ボタン２９６の押圧操作により、スプリング４２２の付勢に抗してスライド板４２３が内方へスライドし、前記開口４２１がクランク流路４１６の底面に露出することで、図１９並びに図２０に示すように、パチンコ球が待機球返却樋２４２内に流入して、余剰玉受皿２０４に、パチンコ球（待機球）が返却されるようになっている。
【００２７】
また、本実施例では、図１３に示すように、前記待機球返却部４２０に隣接して、ストッパー部４２９を設けており、前記ガラス扉枠２０２が開放された場合に、該ストッパー部４２９にてクランク流路４１６の下流端よりパチンコ球が溢流することが防止されるようになっている。
【００２８】
この本実施例に用いたストッパー部４２９は、図１３並びに図２２に示すように、前記クランク流路４１６を横断可能にスライド自在とされたスライド板４３０と、該スライド板４３０をパチンコ機２の内方側に付勢する付勢バネ４３２とから成っており、前記ガラス扉枠２０２が開いた状態、つまりは、打球供給皿２０３が離脱した状態では、図２２（ａ）に示すように、前記スライド板４３０が前記付勢バネ４３２による付勢によりクランク流路４１６と連結流路４１５との連通口４３３を塞ぐ位置に移動されることで、該連通口４３３からパチンコ球が溢流することが防止され、該前記ガラス扉枠２０２を閉じた状態、つまりは、打球供給皿２０３を装着すると、該装着動作により、前記スライド板４３０の側面側面部に形成された係合部４３１と連結流路４１５の外方側壁とが当接することで、スライド板４３０が前記付勢バネ４３２の付勢に抗してパチンコ機２の外方方向へスライドし、前記連通口４３３の閉塞が解除されることで、図２２（ｂ）に示すように、パチンコ球が連結流路４１５へ供給されるようになっている。
【００２９】
このように、溢流阻止部であるストッパー部４２９の構成を前記スライド板４３０と付勢バネ４３２にて形成することは、これら溢流阻止部を簡素な構造で形成でき、これら溢流阻止部を設けることによるコスト上昇を抑えることができることから好ましいが、本発明はこれに限定されるものではなく、これら溢流阻止部をその他の構成、例えば、電気的にガラス扉枠２０２の開放を検知して、ソレノイドにて前記スライド板４３０を動作させるようにするようにしても良い。
【００３０】
ここで、本実施例に用いた揚送ユニット４００について図１２を中心に説明すると、揚送ユニット４００は、主にパチンコ球を１つ１つ、単体にて揚送するための揚送スクリュー４０３や、該揚送スクリュー４０３を内部に収容するとともに、その前面側に開閉自在とされた開閉部４２５を有する揚送路ケース４０２から成る揚送経路ユニット４０６と、該揚送経路ユニット４０６の下方に設けられ、前記揚送スクリュー４０３を駆動する駆動モータ４１０や、前記揚送路内にパチンコ球を供給する揚送球供給手段としての球供給スプロケット４１３や、該球供給スプロケット４１３にパチンコ球を誘導する連結流路４１５を有する下部ユニット４０１と、から構成されている。
【００３１】
この下部ユニット４０１は、図１２（ｂ）並びに図１３に示すように、前面扉枠２００に対して前後方向に移動自在に設けられるベース板４０１’と、このベース板４０１’の上面に設けられるカバー体４５０と、から外形が主に構成される。ベース板４０１’の下面には、揚送スクリュー４０３及び球供給スプロケット４１３を駆動する揚送装置駆動源としての駆動モータ４１０が取り付けられる。
【００３２】
カバー体４５０の上面には、揚送路ケース４０２の下端部が嵌合される嵌合部４５１（図２８参照）が形成されているとともに、その嵌合部４５１の内部には、嵌合された揚送路ケース４０２の下端開口が連通する開口が形成されている。また、カバー体４５０の内部には、前記誘導傾斜樋２８３、クランク流路４１６並びに連結流路４１５を流下してきたパチンコ球を前記揚送路内部に供給するための円盤状の球供給スプロケット４１３が、前記揚送スクリュー４０３を駆動する駆動モータ４１０にて駆動される駆動ギア４１１と噛合する受動ギア４１２と同軸に軸支されて設けられており、該球供給スプロケット４１３の外周には、１つのパチンコ球を収容するための略半円形状の球収容部４１４が設けられている。
【００３３】
また、この球供給スプロケット４１３に供給される球圧並びに前記待機球返却部４２０に供給される球圧を緩和することを目的として、本実施例では、前記誘導傾斜樋２８３におけるパチンコ球の流下方向と異なる方向にパチンコ球を誘導することにより球圧を緩和するクランク流路４１６が設けられているとともに、該クランク流路４１６の下流位置に前記待機球返却部４２０が設けられていて、球圧緩和後のパチンコ球が待機球返却部４２０に供給されることで、パチンコ球が良好に待機球返却部４２０の下方へ流下するように工夫されている。
【００３４】
また、このクランク流路４１６にて球圧が緩和されたパチンコ球は、カバー体４５０の一部により上面視略逆Ｓ字状に屈曲するように形成された連結流路４１５において、更に球圧が緩和された後、下部ユニット４０１の内方側に回り込むように球供給スプロケット４１３に供給される。
【００３５】
なお、カバー体４５０における連結流路４１５の側面には、図１３に示されるように、窓部としての細長のスリット穴４５８が、連結流路４１５の長手方向に沿うように横向きに形成されている。このようにスリット穴４５８を形成することで、連結流路４１５内にて球詰まりが発生した場合等において、カバー体４５０を開放することなく、スリット穴４５８から針金等を差し込んで球詰まりを容易に解除したり、内部のパチンコ球を連通口４３３から外部に排出することが出来る。また、このスリット穴４５８は連結流路４１５の側面に形成されているため、ゴミ等の進入等が防止されている。
【００３６】
これら球供給スプロケット４１３に供給されたパチンコ球は、図１４（ａ）に示すように、前記球供給スプロケット４１３の回動により、前記球収容部４１４が、パチンコ球の流入口方向に向くことで、該球収容部４１４内部にパチンコ球が取り込まれる。次いで、図１４（ｂ）に示すように、球収容部４１４内部に取り込まれたパチンコ球が、球供給スプロケット４１３の回動に伴って、回転方向に移動し、図１４（ｃ）に示すように、球供給スプロケット４１３が９０度回転した位置にてパチンコ球が揚送路を構成する球通路部４０４内に供給される。
【００３７】
この球供給スプロケット４１３によるパチンコ球の供給に際して、パチンコ球と揚送スクリュー４０３の螺旋状凸部とが衝突しないように、前記受動ギア４１２と駆動ギア４１１とにより、球供給スプロケット４１３と揚送スクリュー４０３とが同期されているとともに、パチンコ球が球通路部４０４内に供給されるとほぼ同時に、揚送スクリュー４０３の螺旋状凸部の下端部と供給されたパチンコ球とが摺接するように同期されることで、前記球収容部４１４内からパチンコ球が上方へ、後続のパチンコ球と当接することなく単独状態で揚送されて抜き出されるようになっていて、供給された球を迅速に揚送へ移行できるようになっている。
【００３８】
また、この受動ギア４１２と駆動ギア４１１とは、そのギア比が、駆動ギア４１１と同軸にて回転される前記揚送スクリュー４０３により、揚送球が揚送路のほぼ中間位置に揚送されるようになる回転回数（本実施例では３回転）にて受動ギア４１２が１周するようなギア比とされていて、揚送路内の中間位置にパチンコ球が揚送される毎、つまりは、既に中間位置に揚送されているパチンコ球が発射装置５００に供給される毎に、１つのパチンコ球が揚送スクリュー４０３に対して供給されるようになっており、揚送路内には、最大で２つの球しか存在しないようになっており、これら受動ギア４１２と駆動ギア４１１とを駆動する駆動モータ４１０が、接続コネクタ４１０’に接続されて、その動作が発射揚送制御基板２９１にて制御されることで、前記発射装置５００からのパチンコ球の発射に連動して揚送ユニット４００によるパチンコ球の揚送、供給が実施されるようになっている。
【００３９】
また、駆動ギア４１１は、図２４に示されるように、小径ギア４１１ａとその下方の大径ギア４１１ｂとが一体化されてなるもので、上方の小径ギア４１１ａの中心部には、駆動モータ４１０の駆動軸４１０ａが、その先端部が小径ギア４１１ａの上面に突出するように貫通されている。小径ギア４１１ａの上面に突出した駆動軸４１０ａの先端には、揚送スクリュー４０３の軸部４０３ａ下端面に形成された嵌合凹部４５６が嵌合されて、駆動軸４１０ａと揚送スクリュー４０３の軸部４０３ａとが連係されるようになっている。
【００４０】
なお、駆動軸４１０ａの先端及び嵌合凹部４５６は、周面の一部にフラットな平面が形成されるように切り欠かれて横断面略Ｄ字状に形成されており、これにより駆動軸４１０ａ及び嵌合凹部４５６の相対回転が不能とされるとともに、これらを常に一定の向きで連結させることが出来る。これにより、揚送スクリュー４０３と駆動モータ４１０との連係を解除しても、着脱駆動モータ４１０の出力軸と揚送スクリュー４０３と球供給スプロケット４１３との同期を確実に確保した状態で再度連係させることが出来る。
【００４１】
また、カバー体４５０の側面所定箇所には、図２５に示されるように、球供給スプロケット４１３の下面に設けられる受動ギア４１２に連係する手動動作手段としての手動ギア４５７が、その一部がカバー体４５０の外部に露出するように回動自在に枢支されている。詳しくは受動ギア４１２は、小径ギア４１２ａとその下方の大径ギア４１２ｂとが一体化されてなるもので（図２８参照）、手動ギア４５７は上方の小径ギア４１２ａに噛合されている。このように手動ギア４５７を設けることで、例えば球供給スプロケット４１３付近で球詰まりが発生した場合において、球供給スプロケット４１３を駆動モータ４１０を駆動させることなく手動ギア４５７を介して回動させることが出来るので、球詰まりの解除作業や異物の混入等による球供給スプロケット４１３のメンテナンス作業等を、駆動モータ４１０に負荷をかけることなく容易に行うことが出来る。
【００４２】
なお、この手動ギア４５７は受動ギア４１２に噛合するように設けられているが、本発明はこれに限定されるものではなく、駆動モータ４１０の駆動軸４１０ａを回動させることが出来れば、例えば受動ギア４１２に噛合する駆動ギア４１１に噛合するように設けてもよく、その配置位置は任意である。
【００４３】
また、ベース板４０１’の裏面には、特に図２３に示されるように、前面扉枠２００の前面に形成された下部ユニット収容部４５２の左右側壁部内面に前後方向を向くように設けられたガイドレール４５３ａ、４５３ｂに摺動自在に設けられるスライドレール４５４ａ、４５４ｂが固着されており、ベース板４０１’、引いては下部ユニット４０１を前面扉枠２００に対して前後方向にスライド移動させることが出来るようになっている。
【００４４】
また、下部ユニット収容部４５２の左右側壁部内面における前記ガイドレール４５３ａ、４５３ｂの前方所定位置には、下部ユニット４０１を後方の取り付け位置にて前方移動不能に規制するための弾性変形自在な係止爪４５５ａ、４５５ｂが設けられており（図１３参照）、この係止爪４５５ａ、４５５ｂにより下部ユニット４０１を後方の取り付け位置に固定させておくことが出来るようになっている。なお、下部ユニット４０１を前方に引き出すには、図２３（ｂ）に示されるように係止爪４５５ａ、４５５ｂを壁部方向に押し込んで係止状態を解除すればよい。また、下部ユニット４０１を取り付ける際には、スライドレール４５４ａ、４５４ｂをガイドレール４５３ａ、４５３ｂ内に挿入して下部ユニット４０１を押し込んで後方の取り付け位置に位置させれば、係止爪４５５ａ、４５５ｂが弾性復帰力にてスライドレール４５４ａ、４５４ｂの前端を係止することになる。
【００４５】
次に、揚送経路ユニット４０６に関して説明すると、図１２（ａ）並びに図１２（ｂ）に示すように、揚送路ケース４０２は、上下端が開口する筒状に形成されているとともに、供給されたパチンコ球が揚送される球通路部４０４と、前記揚送スクリュー４０３が挿通配置されるスクリュー収容部４０５とが内部に形成されており、揚送スクリュー４０３の螺旋状凸部の外周４０３ａが前記球通路部４０４に露出して揚送されるパチンコ球と摺接するように軸支されており、揚送スクリュー４０３の回転に伴ってパチンコ球が球通路部４０４の内部を上方へと揚送されていく。
【００４６】
揚送路ケース４０２の上端部は、図２６及び図２８に示されるように、発射装置５００の下部に嵌合するために、球通路部４０４における上端部が切り欠かれており、揚送路ケース４０２における球通路部４０４の上端開口に形成される球供給口４１７が発射装置５００の下面に形成される連通口に連通するようになっている。
【００４７】
また、揚送路ケース４０２の上端部におけるスクリュー収容部４０５の上方には、揚送スクリュー４０３の軸部４０３ｂの上端を回動自在に枢支するための蓋部材４３４が取り付けられるようになっている。蓋部材４３４の周縁部には、揚送路ケース４０２におけるスクリュー収容部４０５の上端縁部に形成されたフランジ部４０２ａに形成されたネジ穴４３５に螺入するネジ４３６が挿通するネジ挿通穴４３７が所定間隔おきに複数形成されており、ネジ４３６をネジ穴４３５内に螺入することで揚送路ケース４０２の上端部に取り付けることが出来るようになっている。
【００４８】
蓋部材４３４の裏面には、揚送路ケース４０２の内部に嵌合して取り付け時における位置決め手段となるリブ４３８が下方に向けて形成されているとともに、その略中央部には、内面に雌ねじ部が形成された筒状の軸支部４３９が下方に向けて形成されている。この軸支部４３９内には、前記軸支部４３９内に形成された雌ねじ部に螺合する雄ねじ部が外周部に形成されるとともに、揚送スクリュー４０３の軸部４０３ｂの上端に固着されたベアリング４４０が内部に圧入される筒状部材４４１が螺入される。すなわち、揚送スクリュー４０３の軸部４０３ｂの上端は蓋部材４３４により回動自在に支持されるようになっている。
【００４９】
すなわち、揚送路ケース４０２と揚送スクリュー４０３とは、蓋部材４３４を介して一体化されており、これら一体化された揚送路ケース４０２及び揚送スクリュー４０３により揚送経路ユニット４０６が構成されている。
【００５０】
また、揚送路ケース４０２は、図１２及び図２８に示されるように、その下端をカバー体４５０の嵌合部４５１内に嵌合するとともに、その上端に形成された切欠部を発射装置５００の下面に合致させるようにケース止め具４５９に嵌め込むことにより前面扉枠２００の前面に取り付けられて、その内部が発射装置５００の内部及び下部ユニット４０１のカバー体４５０の内部に連通することになる。
【００５１】
ケース止め具４５９は、特に図２７に示されるように、二股のクリップ形状に構成されてなり、その基部が前面扉枠２００にネジにより止着されており、その二股状の遊端同士の間には、揚送路ケース４０２を差し込み可能に隙間が設けられており、図中２点鎖線で示されるように弾性変形させることで揚送路ケース４０２を前方から差し込むことで、前面扉枠２００の前面に保持されるようになっている。また、ケース止め具４５９は揚送路ケース４０２における球通路部４０４とスクリュー収容部４０５との外周形状に合わせて形成されており、途中にくびれ部４５９ａが形成されているので、保持した揚送路ケース４０２の回転が防止されている。
【００５２】
尚、前記揚送路ケース４０２は、透明な樹脂製（アクリル樹脂）にて構成されており、このように透明な樹脂を用いることは、球通路部４０４内部並びにスクリュー収容部４０５の内部の状態を、目視にて分解することなく容易に確認できることから好ましいが、本発明はこれに限定されるものではなく、これら揚送路ケース４０２を不透明な樹脂や金属等にて形成しても良い。
【００５３】
本実施例に用いた前記揚送スクリュー４０３の前記螺旋状突出部は、低摩擦であって帯電防止能に優れる導電材である導電性ポリプロピレン樹脂にて形成されており、このように前記螺旋状突出部を導電材或いは帯電防止能を有する帯電防止材にて形成することは、前記パチンコ球の揚送において、パチンコ球と揚送スクリュー４０３とが摺動することにより静電気が発生することを防止するとともに、揚送スクリュー４０３を適宜にアースしておくことで、既にパチンコ球が帯電している場合にあっても、該パチンコ球の帯電を除去できるようになることから好ましいが、本発明はこれに限定されるものではなく、これら揚送スクリュー４０３をより導電性の優れる金属にて形成したり、或いは帯電防止能を有しない通常の樹脂にて形成するようにしても良い。
【００５４】
また、本実施例では、前述のように、揚送スクリュー４０３並びに球供給スプロケット４１３の双方を同一の駆動源である駆動モータ４１０にて駆動するようにしており、このようにすることは、個別に駆動モータを設けるのに比較して動力源の数を低減できるため、コストを抑えることができるとともに、前記揚送スクリュー４０３と球供給スプロケット４１３の同期（連動）を、前述のようにギア比等にて機械的に設定することで、容易且つ確実に制御できることから好ましいが、本発明はこれに限定されるものではなく、個々の動力源を個別の駆動モータとして制御するようにしても良い。
【００５５】
また、本実施例では、前述のように、前記揚送路ケース４０２の前面側に、揚送経路に沿うように上下方向を向く開閉部４２５が開閉自在に設けられており、このようにすることは、開閉部４２５を開放することで、揚送路内に簡便にアクセスできるようになるため、異物の除去等を迅速に実施できるようになる。
【００５６】
また、本実施例では、前記球通路部４０４がパチンコ機２の内方側に位置するように揚送ユニット４００が取り付けられていることから、前記開閉部４２５が該球通路部４０４の反対面に取り付けられているが、本発明はこれに限定されるものではなく、例えば揚送ユニット４００が、前記球通路部４０４がパチンコ機２の前面側に位置するように取り付けられる場合には、該球通路部４０４に開閉部を設けるようにしても良い。
【００５７】
この駆動モータ４１０の動作は、前記発射揚送制御基板２９１によって、発射装置５００からのパチンコ球の発射に連動して、前記球通路部４０４の上端に形成されている球供給口４１７から揚送されたパチンコ球が該発射装置５００に排出、供給されるように制御される。
【００５８】
次いで、本実施例に用いた発射装置５００について、図１２並びに図１５、図１６を用いて説明すると、発射装置５００の外装ケース５１０内部には、共通の揺動軸５１３に揺動自在に軸支された球リフトアーム５０２と発射アーム５０３が設けられている。
【００５９】
これら球リフトアーム５０２と発射アーム５０３の一方端は、発射装置５００の上部裏面側に固設されたカム駆動モータ５１１にて回転駆動されるカム軸５０１’に同軸に固設されたリフト用カム５０１ａ並びに発射用カム５０１ｂに摺接することで、該リフト用カム５０１ａ並びに発射用カム５０１ｂの回動に伴って球リフトアーム５０２と発射アーム５０３とが個別の揺動動作を為すようになっているとともに、発射アーム５０３は、発射装置５００の下方に、前記リフトアーム５０２と発射アーム５０３の揺動円弧に外接するように傾斜配置された発射レール５０８にほぼ並行となるように張架された発射用スプリング５０４にて付勢されており、また、球リフトアーム５０２は、前記発射用スプリング５０４とほぼ直交するように張架されたリフト用スプリング５０６にて付勢されている。
【００６０】
また、発射用スプリング５０４の発射アーム５０３との連結側ではない他方端は、発射用スプリング５０４の張架方向にスライド可能とされたスライド片５０５に連結されていて、該スライド片５０５が、発射装置５００の裏面側に固設された発射強度調整用モータ５１２によりスライドすることで、発射アーム５０３の付勢力が調節され、該発射アーム５０３にて打ち出されるパチンコ球の発射強度を調節できるようになっており、これら発射強度の調節は、前記打球操作ハンドル２０５の操作に基づいて前記発射揚送制御基板２９１によって前記発射強度調整用モータ５１２の動作が制御されることで実施される。
【００６１】
また、前記発射レール５０８の傾斜下方端位置には、前記ファール球流路２９５への流入口２９４の開閉を、前記球リフトアーム５０２の下端と摺接することによって該球リフトアーム５０２の揺動に伴って実施するファール球通路弁５０７が設けられており、該ファール球通路弁５０７は図示しないスプリングにより、前記流入口２９４を塞がない開状態となるように常時付勢されている。
【００６２】
この発射装置５００の発射動作は、まず図１５（ａ）に示すように、前記カム５０１の回動によって、前記球リフトアーム５０２と発射アーム５０３の双方が、前記リフト用スプリング５０６並びに発射用スプリング５０４の付勢力に抗して、発射装置５００の下方隅部の位置まで揺動されるとともに、この状態において、前記揚送ユニット４００の駆動モータ４１０が駆動されて、前記球供給口４１５から揚送されたパチンコ球が発射装置５００に供給される。
【００６３】
該発射装置５００に供給されたパチンコ球は、図１５（ｂ）に示すように、前記リフト用カム５０１ａの回動によって、まず球リフトアーム５０２のみが揺動を開始することで、発射平面となる前記発射アーム５０３の揺動平面と同一平面上を、該球リフトアーム５０２によって前記発射レール５０８上の所定の発射位置へ誘導される。この誘導に際して前記ファール球通路弁５０７は、球リフトアーム５０２の揺動に伴って該球リフトアーム５０２の下端と摺接することにより、前記流入口２９４が閉じた状態となる。
【００６４】
尚、前記球リフトアーム５０２の揺動外周端部には、発射アーム５０３の先端に設けられた打ち出しスプリングが挿通可能な円形窓が形成されていて、前記円形窓内に前記発射位置へ誘導されたパチンコ球が保持されるようになっており、このように発射されるパチンコ球を保持することは、発射の際のパチンコ球の位置精度を向上でき、安定した遊技球の発射が可能となることから好ましいが、本発明はこれに限定されるものではなく、これら保持を実施しない構成としても良い。
【００６５】
また、前記リフト用カム５０１ａの形状は、前記発射位置の遠方領域において前記球リフトアーム５０２の揺動下端の移動速度が大きくなるように、その外径が大きく増加するとともに、前記発射位置の近傍において、球リフトアーム５０２の揺動下端の移動速度が低速となることで誘導されるパチンコ球の誘導速度が低速となるように、その外径が微増するような形状となっており、このように発射位置の近傍においてパチンコ球の誘導速度が低速となるようにすることは、誘導中におけるパチンコ球のブレ（振動）を低減できることにより安定した発射強度を得ることができることから好ましいが、本発明はこれに限定されるものではなく、これら低速誘導を実施しない構成としても良い。
【００６６】
更に、本実施例では前記低速誘導を前記リフト用カム５０１ａの形状により実施しており、このようにすることは、例えばこれらの低速誘導をカム駆動モータ５１１の回転速度制御等にて実施する場合に比較して、滑らかな低速誘導が可能となるばかりか、回転速度の加減速が繰り返されることを回避できることで、カム駆動モータ５１１の損耗も低減できることから好ましいが、本発明はこれに限定されるものではなく、これらの低速誘導をカム駆動モータ５１１の回転速度制御にて実施するようにしても良い。
【００６７】
次いで、発射レール５０８上の所定の発射位置へ誘導されたパチンコ球は、図１５（ｃ）に示すように、発射用カム５０１ｂの回動に伴い、前記発射用スプリング５０４に抗する力が解除されることで、該発射用スプリング５０４による付勢力に比例する勢いにて、発射アーム５０３が図中の矢印方向に揺動することで、発射レール５０８上の発射路５０９を通じて遊技領域２０７へ打ち出される。
【００６８】
この際、図１６（ａ）に示すように、発射の勢いが弱く、遊技領域２０７に達しなかったパチンコ球は、図１６（ｂ）のように、前記発射レール５０８上を傾斜下方側へ流下してくるが、発射後のカム５０１の回動に伴って、前記球リフトアーム５０２と発射アーム５０３の双方が、図１６（ｃ）に示すように双方のスプリング５０４、５０６に抗して揺動を開始することで、それまで球リフトアーム５０２の下端部に摺接することで前記ファール球流路２９５の流入口２９４を塞いでいたファール球通路弁５０７が、摺接の解除に伴って、図示しないスプリングにより立設状態に戻ることで、流入口２９４が開状態となり、前記発射レール５０８上を流下してきたファール球が、ファール球流路２９５内へ流入し、該ファール球流路２９５の下端に形成されているファール球流入口２８８、賞球通路２７３を通じて打球供給皿２０３或いは余剰玉受皿２０４に返却される。（図１８参照）
【００６９】
次いで、前記遊技盤２０６の前面に形成された遊技領域２０７について説明すると、本実施例の遊技領域２０７は、発射装置５００を遊技盤２０６の向かって左上部側方位置に有することで、従来のパチンコ機が備えていた発射レール等を有しないことから、遊技領域２０７が、従来のパチンコ機の遊技領域に比較して下方に大きく拡大しているとともに、その形状が吊鐘状とされている。この遊技領域２０７の中央上部付近には、図３に示すように、「特別図柄」と呼ばれる複数種類の識別情報可変表示するための可変表示部２０９と、「普通図柄」と呼ばれる個別図柄（本実施例では「○」と「×」）が、交互点灯される表示器２１０とを含む可変表示装置２０８が設けられている。尚、本実施例では、可変表示部２０９はＬＣＤ表示器（液晶表示器）にて形成されていて、特別図柄を可変表示可能とされている。具体的に、可変表示部２０９の表示エリアにおいては、縦横方向に並ぶ態様で９つの可変表示エリアを表示上形成し、それらのエリアにおいて、各エリアに共通の複数図柄が個々に独立して可変表示される。
【００７０】
また、表示器２１０は、左右２つのＬＥＤを有し、可変表示部２０９に表示される特別図柄は、後述するように打玉が始動入賞口２１４へ始動入賞することに基づいて可変開始される。一方、可変表示部２１０に表示される普通図柄は、後述するように打玉が第１通過ゲート２１１ａを通過することに基づいて可変開始される。
【００７１】
可変表示部２０９の下部には、始動入賞口２１４に入賞した始動入賞球数を記憶して表示する４個の表示部（ＬＥＤ）を有する始動入賞記憶表示器２１８が設けられている。本実施例では、４個を上限として、始動入賞が記憶される毎に、始動入賞記憶表示器２１８のＬＥＤが１つ追加して点灯する。そして、可変表示部２０９において特別図柄の可変表示が開始される毎に、ＬＥＤが１つ滅灯する。
【００７２】
可変表示装置２０８の側部には、打玉を導く第１通過ゲート２１１ａが設けられている。第１通過ゲート２１１ａには、第１通過ゲート２１１ａを通過した打玉を検出するゲートスイッチ２１２ａがある。
【００７３】
また、始動入賞口２１４には可動片２１５が設けられていて、ソレノイド２１６によって開状態とされ、始動入賞口２１４に入賞した始動入賞球は、遊技盤２０６の背面に導かれ、始動ロスイッチ２１７によって検出される。
【００７４】
また、始動入賞口２１４の下方には、第２通過ゲート２１１ｂ並びに第３通過ゲート２１１ｃが設けられていて、両通過ゲート２１１ｂ，２１１ｃにはそれぞれ、通過した打玉を検出するためのゲートスイッチ２１２ｂ，２１２ｃが設けられており、第２通過ゲート２１１ｂを打玉が通過した場合には、遊技領域２０７の中央下方位置に設けられている役物装置２６９の可動片２６９ａの開閉動作が２回実施され、第３通過ゲート２１１ｃを打玉が通過した場合には、役物装置２６９の可動片２６９ａの開閉動作が１回実施される。
【００７５】
この両通過ゲート２１１ｂ，２１１ｃの下方位置には、開閉板２２０が設けられた可変入賞球装置２１９が取付けられている。遊技状態が大当り状態（特定遊技状態）となれば、ソレノイド２２１によって開閉板２２０が開成し、可変入賞球装置２１９の大入賞口が開口する。大入賞口に進入した玉のうち特定入賞領域（Ｖポケット）に入った入賞球はＶカウントスイッチ２２２で検出される。一方、大入賞口内における特定入賞領域以外の通常入賞領域へ入賞した入賞球はカウントスイッチ２２３で検出される。
【００７６】
また、遊技領域２０７の中央下部位置には、役物装置２６９が設けられており、該役物装置２６９の左右上部外周には、ソレノイド２６９ｂにより開閉される可動片２６９ａが設けられているとともに、その中央位置には、回転体駆動モータ２６９ｅにて駆動回転される回転体２６９ｃが設けられていて、該回転体２６９ｃの上面外周の役物装置２６９内部中央位置には、打玉が入賞することで遊技状態が大当り状態（特定遊技状態）の発生となるＶ入賞口２６９ｄが形成されており、Ｖ入賞口２６９ｄに入賞した打玉がＶ球検出スイッチ２６９ｇにより検出されることで大当り状態（特定遊技状態）となる。また、Ｖ入賞口２６９ｄの両側領域は空隙とされていて、該Ｖ入賞口２６９ｄに入賞しなかった打玉が該空隙内に落下して入賞球検出スイッチ２６９ｆにて検出されるようになっている。
【００７７】
また、遊技盤２０６には、複数の入賞口２２４ａ〜ｃが設けられている。遊技領域２０７の左右周辺には、遊技中に点灯表示される装飾ランプ２２５が設けられ、下部には、入賞しなかった打玉を回収するアウト口２２６が設けられている。また、図１に示すように、遊技領域２０７の外側の左右上部には、効果音を発する２つのスピーカ２２７が設けられているとともに、遊技領域２０７の外周には、遊技効果ＬＥＤ２２８ａおよび遊技効果ランプ２２８ｂ、２２８ｃが設けられている。
【００７８】
そして、本実施例では、一方のスピーカ２２７の近傍に、賞球払出時に点灯する賞球ランプ２５１が設けられ、他方のスピーカ２２７の近傍に、補給玉が切れたときに点灯する玉切れランプ２５２が設けられている。
【００７９】
前記打球操作ノブ２０５の操作によって発射装置５００から発射された打玉は遊技領域２０７に入り、該遊技領域２０７を流下していく。該打玉が通過ゲート２１１ａを通ってゲートスイッチ２１２ａで検出されると、表示器２１０に停止表示されている普通図柄が可変開始する。なお、表示器２１０の可変表示中に打玉が通過ゲート２１１ａを通過した場合にはその通過が記憶され、表示器２１０が停止して再度変動を開始可能な状態になってから前記通過記憶を「１」減算して表示器２１０が可変表示制御される。この通過記憶の上限はたとえば「４」に定められており、現時点での通過記憶数が通過記憶表示器（図示せず）により表示される。
【００８０】
また、打玉が始動入賞口２１４に入賞し、始動入賞口スイッチ２１７で検出されると、特別図柄の変動を開始できる状態であれば、可変表示部２０９に表示される特別図柄がスクロールを始める。たとえば、すでに可変表示が開始されて特別図柄が変動中である等の理由によって特別図柄の変動をすぐに開始できる状態でなければ、始動入賞記憶を一つ増やす。
【００８１】
表示器２１０の可変表示動作後の表示結果が予め定められた特定の表示結果（例えば、前記「○」に対応する向かって左側のＬＥＤが点灯）となった場合に、始動入賞口２１４に設けられた可動片２１５が所定時間開成して、パチンコ玉が該始動入賞口２１４に入賞し易くなる遊技者にとって有利な状態となる。
【００８２】
この始動入賞口２１４にパチンコ玉が入賞して始動入賞口スイッチ２１７で検出されると、特別図柄の変動を開始できる状態であれば、可変表示装置２０８の可変表示部２０９において全特別図柄が可変表示（変動表示）を開始する。そして、その後、９エリアの特別図柄が停止し、その停止表示結果が予め定められた特定の表示態様（たとえば７７７）が所定のライン上に揃った場合に、該表示態様に該当する秒数の間、前記役物装置２６９の可動片２６９ａが開放され、打玉が前記回転体２６９ｃの上面に流入可能となる。
【００８３】
この可動片２６９ａの開放中に前記回転体２６９ｃの上面に流入した打玉のいずれか１つが前記Ｖ入賞口２６９ｄに入賞した場合に、特定遊技状態（大当り状態）が発生する。このように可動片２６９ａの開放がなされる特定の表示態様は、大当り図柄と呼ばれ、この例では予め複数種類定められている。
【００８４】
このように大当り状態が発生した場合には、可変入賞球装置２１９の開閉板２２０が開成して遊技者にとって有利な第１の状態となる。この第１の状態は、所定期間（たとえば３０秒間）の経過、或いは打玉の所定個数（たとえば１０個）の入賞、のいずれか早い方の条件が成立することにより終了し、その後、遊技者にとって不利な第２の状態となる。第１の状態となっている可変入賞球装置２１９の大入賞口内に進入した打玉が特定入賞領域（Ｖポケット）に入賞してＶカウントスイッチ２２２により検出されれば、その回の第１の状態の終了を待って開閉板２２０が開成されて再度第１の状態となる。この第１の状態の繰返し継続制御は、本実施例では最大１５回まで実行可能とされている。このような最大１５回実行可能である第１の状態となっている時期は、繰返し継続制御のラウンド（回）と呼ばれる。この例では、繰返し継続制御は、第１ラウンドから最大第１５ラウンドまで繰返し実行可能である。
【００８５】
また、可変表示装置２０８の可変表示部２０９で可変表示された９つのエリアの特別図柄が同じ図柄の種類に一致した大当り図柄の組合せで停止表示されたときには前述したように大当りが発生するが、その大当り図柄が複数のライン、或いは全ての９つのエリアに異なる特別図柄が表示された場合において、前記Ｖ入賞口２６９ｄへの入賞が為された場合には、通常遊技状態に比べて大当りが発生する確率が高く変動した確率変動状態（以下、確変状態ともいう）となる。このような確率変動状態の発生のきっかけとなる特別の表示態様の大当り図柄は、確変図柄と呼ばれる。以下、確変図柄により発生する大当りを確変大当りといい、確変図柄以外の大当り図柄（非確変図柄）により発生する大当りである通常大当りと区別している。
【００８６】
通常遊技状態中に、一旦、確変大当りが発生すると、その確率変動状態は、たとえば、少なくとも予め定められた確変継続回数（たとえば、１回、あるいは２回）分の大当りが発生するまで確率変動状態に継続制御される。また、確率変動状態中に確変大当りが発生すれば、その確変大当り以降、改めて確変継続回数が計数され、その後、少なくとも確変継続回数だけ大当りが発生するまで確率変動状態が継続する。そして、確変継続回数に達した大当りが確変図柄以外の非確変図柄によるものであった場合には、確率変動の生じていない通常遊技状態に戻る。
【００８７】
可変表示装置２０８の可変表示部２０９においては、リーチ状態が発生する場合がある。ここで、「リーチ状態」とは、可変表示装置２０８の可変表示部２０９が可変開始された後、表示制御が進行して表示結果が導出表示される前段階にまで達した時点でも、特定の表示態様となる表示条件から外れていない表示態様をいう。言い換えれば、リーチとは、前記可変表示装置２０８の表示結果がまだ導出表示されていない段階で、前記特定の表示態様の組合せが表示されやすい可変表示態様となったと遊技者に思わせるための表示状態をいう。そして、たとえば、前記特定の表示態様の組合せが揃った状態を維持しながら複数の前記可変表示部２０９による可変表示を行う状態もリーチ表示状態に含まれる。さらにリーチの中には、それが出現すると、通常のリーチ（ノーマルリーチ）に比べて、大当りが発生しやすいものがある。このような特定のリーチをスーパーリーチという。
【００８８】
また、リーチ状態とは、可変表示装置２０８の表示制御が進行して表示結果が導出表示される前段階にまで達した時点での表示状態であって、前記表示結果が導出表示される以前に決定されている複数の可変表示領域２０９の表示結果の少なくとも一部が前記特定の表示態様となる条件を満たしている場合の表示状態をもいう。
【００８９】
また、役物装置２６９の可動片２６９ａの開閉は、第２通過ゲート２１１ｂ並びに第３通過ゲート２１１ｃの通過によっても実施され、該開閉により前記回転体２６９ｃの上面に打玉が流入し、Ｖ入賞口２６９ｄに入賞した場合にも大当り状態（特定遊技状態）が発生するが、この場合には、前記繰返し継続制御が、第１ラウンドから最大第８ラウンドまで繰返し実行可能とされる。尚、これら大当り中に可変表示部２０９の表示結果が、特定の表示態様（たとえば７７７）となった場合には、大当りの終了をまって、前記可動片２６９ａの開放が実施されるようになっている。
【００９０】
次に、パチンコ機２の背面の構造について図２に基づき説明する。パチンコ機２の遊技盤２０６の裏面側には、機構板２３６が設けられており、該機構板２３６には、可変表示部２０９の表示制御を行う表示制御基板２８０等が搭載された可変表示制御ユニット２２９、遊技制御基板ボックス２３２に覆われ遊技制御用マイクロコンピュータ等が搭載された遊技制御基板２３１、パチンコ玉の払出制御を行う払出制御用マイクロコンピュータ等が搭載された賞球制御基板２３７が設置されている。さらに、機構板２３６の上部位置の向かって右側角部位置には、前記揚送ユニット４００並びに発射装置５００の動作制御を行うマイクロコンピュータ等が搭載された発射揚送制御基板２９１と、遊技効果ＬＥＤ２２８ａ、遊技効果ランプ２２８ｂ，２２８ｃに信号を送るためのランプ制御基板２３５と、スピーカ２２７から出力する音声制御を行うマイクロコンピュータ等が搭載された音声制御基板２７０と、が設けられている。
【００９１】
また、図２中の２９０は、前記余剰玉受皿２０４への流下経路に設けられて、前記余剰玉受皿２０４の満タンを検出するための満タンスイッチ２１３や、前記玉払出装置２９７の上流部に設けられて球切れを検出するための球切れスイッチ２３３や、カウントスイッチ２２３、Ｖカウントスイッチ２２２、賞球用カウントスイッチ２４８ａ、貸出球カウントスイッチ２４８ｂ等各種スイッチからの信号を前記遊技制御基板２３１に中継するための枠用スイッチ中継基板である。
【００９２】
この機構板２３６の上部には球タンク２３８が設けられ、前記遊技島の前記供給樋より導出された供給管（図示略）よりパチンコ玉が球タンク２３８に供給される。球タンク２３８内のパチンコ玉は、誘導樋２３９を通って玉払出装置２９７に供給される。
【００９３】
この誘導樋２３９の下流側終端部には、カーブ樋２４３、球供給樋２４４を介して２条の球供給通路２４５が連設されているとともに、この球供給通路２４５の下端部が、入賞の発生等により付与された賞球の払出や玉貸球の払出を行う払出装置２９７に連設されており、誘導樋２３９を流下するパチンコ球は、取付ボスを支点として揺動自在に垂下されて取り付けられている玉ならし部材２４９により、上下２段となって流下する球が玉ならし部材２４９により埋設される重錘の作用によって１段とされるとともに誘導樋２３９にて２条に分流された後、カーブ樋２４３により左右方向から下方へ流下方向が変換され、球供給樋２４４並びに球供給通路２４５を介して、払出装置２９７に供給されるようになっている。
【００９４】
また、球供給通路２４５の経路中には球切れスイッチ２３３が各条に対応して設けられており、この球切れスイッチ２３３により払出装置２９７での１回の玉貸球数である２５球のパチンコ球が球供給通路２４５内に準備されているか否かが検出されるようになっている。
【００９５】
また、前記カーブ樋２４３の屈曲部には球抜き弁２４７が設けられており、該球抜き弁２４７を作動する作動レバー（図示略）をパチンコ機２の前面側から操作することにより、その屈曲部より上流側の誘導樋２３９並びに球タンク２３８に待機する玉を、前記球供給通路２４５とほぼ平行に設けられている球抜通路２４６を介して遊技島のアウト球タンクに排出される。
【００９６】
この払出装置２９７には、図１０並びに図１１に示すように、球供給通路２４５の各条に対応して球切り用のスプロケット６０６が設けられている。このスプロケット６０６の外周には３カ所の切欠（図１１参照）が形成されており、これらスプロケット６０６が払出モータ６０１の駆動により回転されることで切欠内に入り込んだパチンコ球が１球ずつ下方に排出されるようになっている。また、各条に対応したスプロケット６０６は切欠の位置が互いにずれるように配置されており、双方のスプロケット６０６が同期回転することで交互にパチンコ球が排出される。
【００９７】
これらスプロケット６０６の下方には、前記払出装置２９７から払い出されたパチンコ球の通過を検出するための賞球用カウントスイッチ２４８ａ並びに貸出球カウントスイッチ２４８ｂが、賞球用に払い出されるパチンコ球と貸出用に払い出されるパチンコ球を独立して検出するようになっており、該賞球用カウントスイッチ２４８ａ並びに貸出球カウントスイッチ２４８ｂの上流位置には、振分ソレノイド６０２の励磁または解除により揺動し、前記スプロケット６０６の回転により排出されたパチンコ球の流下経路を、賞球用カウントスイッチ２４８ａの検出経路、または貸出球カウントスイッチ２４８ｂ側の検出経路のいずれか一方に切り替えるための流路切替弁６０７が設けられている。
【００９８】
この払出装置２９７では、賞球の払出時には流路切替弁６０７を図１１（ａ）に示す状態とすることで、スプロケット６０６の回転により排出されたパチンコ球が賞球用カウントスイッチ２４８ａにて検出された後、賞球通路２７３に排出されるようになっている。また、球貸の払出時には、振分ソレノイド６０２の励磁により流路切替弁６０７が揺動し、図１１（ｂ）に示すような状態となり、スプロケット６０６の回転により排出されたパチンコ球が貸出球カウントスイッチ２４８ｂにて検出された後、賞球通路２７３に排出されるようになっている。
【００９９】
また、賞球通路２７３の下流位置にはガラス扉枠２０２の打球供給皿２０３に連通する上皿連通口２７４が設けられており、払出装置２９７から払い出されたパチンコ球は、賞球通路２７３並びに上皿連通口２７４を通って打球供給皿２０３に払い出され、貯留されるようになっている。また、この上皿連通口２７４の側方には、最下端部が前記ガラス扉枠２０２の下方に設けられている余剰玉受皿２０４に連通する余剰球通路２７１に連設されており、打球供給皿２０３に貯留されたパチンコ球が満タンの状態であるために上皿連通口２７４から溢れたパチンコ球が、この余剰球通路２７１を流下して余剰玉受皿２０４に流下するようになっている。
【０１００】
更に、本実施例では、前記賞球通路２７３の経路中に、前記ファール球流路２９５の下端部に繋がるファール球流入口２８８が形成されており、該ファール球流入口２８８から流入してきたファール球は、賞球通路２７３を流下して打球供給皿２０３或いは余剰玉受皿２０４に返却される。
【０１０１】
また、この余剰球通路２７１の経路中には、図５に示すように、前記余剰玉受皿２０４に流下したパチンコ球が余剰玉受皿２０４に満杯になったことを検知するための満タンスイッチ２１３が設けられており、これら満タンスイッチ２１３がＯＮされた場合には、玉払出装置２９７の払出モータ６０１の駆動が停止されて賞球及び貸球の払出動作を不能動化する。
【０１０２】
なお、必要に応じて発射装置５００のカム駆動モータ５１１及び揚送ユニット４００の駆動モータ４１０の駆動も停止するようにしてもよい。満タンスイッチ２１３は、その上端が軸突起に軸支されて揺動自在に設けられた検知レバーの後方に満タンスイッチ２１３を構成するアクチュエータを位置させて前記検知レバーの揺動動作を検出するものである。
【０１０３】
ここで、前記機構板２３６の内方面側の構成について説明すると、機構板２３６の内方面側には、図６に示すように、入賞球を誘導する入賞球誘導通路２７６とアウト球を誘導するアウト球通路２７７とが形成されている。入賞球誘導通路２７６の上方は、入賞球落下入口２７８となっており、前記遊技盤２０６の背面を覆うように形成された入賞球誘導カバー体（図示略）にて収集されて放出される入賞球を受け入れるようになっており、その受け入れた入賞球を入賞球誘導通路２７６が一側側方に向かって誘導し、機構板２３６に形成された連通口２７９から機構板２３６の背面側に導き、さらにその連通口２７９と前記球抜き通路２４６の下流部とを連通する合流通路２８６に導くようになっている。球抜き通路２４６は、合流通路２８６との合流部の上流位置にて、機構板２３６の外周縁に沿って逆Ｌ字状に屈曲され、該機構板２３６のほぼ中央背面側に形成される前記余剰球通路２７１の右側方に形成される合流排出通路２８７に最終的に合流するようになっている。
【０１０４】
したがって、前記遊技盤２０６から排出されて入賞球誘導カバー体を介して入賞球落下入口２７８から受け入れられた入賞球は、入賞球誘導通路２７６、連通口２７９、合流通路２８６、球抜き通路２４６の最下流部、及び合流排出通路２８７を介してパチンコ機２の外部に誘導されるようになっている。なお、入賞球落下入口２７８と入賞球誘導通路２７６との間の空間には、入賞球落下入口２７８から落下する入賞球によって振動するように支持されると共に、入賞球誘導通路２７６上を転動する入賞球を一列に整列させる誘導部材が設けられている。
【０１０５】
また、アウト球通路２７７は、前記入賞球落下入口２７８の側方に形成される凹部２８１の下方に入賞球誘導通路２７６と上下方向に重複するように形成され、その流下端の機構板２３６の主体に連通口２８２が開設されて前記合流排出通路２８７に連通するようになっている。なお、上記した凹部２８１は、遊技盤２０６の下部を裏面から固定するために遊技盤収納枠下部のほぼ中央に取り付けられる遊技盤係止レバーを収容するためのものである。
【０１０６】
しかし、遊技盤２０６のアウト口２２６から取り込まれたアウト球は、遊技盤２０６の裏面に刻設形成されるアウト球排出通路（図示しない）に導かれ、さらに前記遊技盤収納枠の下部の板状部分に形成されるアウト球連通口を経由して上記したアウト球通路２７７に導かれた後、連通口２８２並びに前記合流排出通路２８７を通ってパチンコ機２の外部に導かれる。つまり、上記した合流排出通路２８７には、球抜き通路２４６からの球抜き球、アウト球通路２７７からのアウト球、入賞球誘導通路２７６からの入賞球がすべて合流されてパチンコ機２の外部に誘導され、該合流排出通路２８７からパチンコ機２の外部へ排出される。
【０１０７】
この合流排出通路２８７の向かって左側位置には、内部に複数の電圧の異なる電源を生成する電源ユニット基板を収容する電源ユニットボックス２７２が設けられている。電源ユニット基板は、電源線が接続される電源コネクタが実装されている。電源コネクタに接続される電源線は、機構板２３６の裏面側に形成される配線処理溝（図示しない）に沿って機構板２３６の下部まで引き通され、機構板２３６の主体に設けられる各開口から該主体の表側に引き出されて電源コネクタに接続される。電源線によって供給される電圧はＡＣ２４Ｖの電圧であり、電源ユニット基板（電源生成基板）で生成される複数の電圧は、ＤＣ３０Ｖ、ＤＣ２１Ｖ、ＤＣ１２Ｖ、ＤＣ５Ｖの４種類である。（但し、他の基板に対してＡＣ２４Ｖも供給する。）
【０１０８】
また、電源ユニット基板は、遊技制御基板２３１及び賞球制御基板２３７の各ＣＰＵに駆動電源が供給されていない間、各基板に設けられているＲＡＭの記憶内容をバックアップ（保持）するために各基板にバックアップ電源を供給するようになっている。なお、電源ユニット基板（電源生成基板）から電源断信号が出力されることによって遊技制御基板２３１及び賞球制御基板２３７は、バックアップをするための処理を行うようになっている。
【０１０９】
上記した電源ユニットボックス２７２の背面側には、遊技動作を制御する遊技制御基板２３１を収容する遊技制御基板ボックス２３２が着脱自在に取り付けられるようになっている。その取付は、機構板２３６の開口窓２４０の下辺よりやや上部にブリッジ状に掛け渡される横架突出板２８４に取り付けられるものである。横架突出板２８４は、遊技制御基板ボックス２３２を取り付けたときに、遊技制御基板ボックス２３２の裏面が前記電源ユニットボックス２７２と前記遊技盤２０６の裏面側に取り付けられるランプ制御基板２３５及び音声制御基板２７０を収容する制御基板ボックスに当接しないように重畳的に設けられる高さに設定されており、前記したＬ字状突出板の高さとほぼ同じ高さとなっている。
【０１１０】
ここで、本実施例のパチンコ機２の遊技制御基板２３１における回路構成の一例を図７に示すと、該遊技制御基板２３１は、プログラムに従ってパチンコ機２を制御する基本回路２５３と、入賞球検出スイッチ２６９ｆ、Ｖ球検出スイッチ２６９ｇ、ゲートスイッチ２１２ａ〜ｃ、始動入賞口スイッチ２１７、Ｖカウントスイッチ２２２、カウントスイッチ２２３、入賞球検出スイッチ２９９ａ〜ｃ、満タンスイッチ２１３（余剰玉受皿２０４の満タンを検出する満タンスイッチ２１３）、球切れスイッチ２３３、賞球用カウントスイッチ２４８ａ、貸出球カウントスイッチ２４８ｂからの信号を基本回路２５３に与えるスイッチ回路２５８と、可動片２１５を開閉するソレノイド２１６および開閉板２２０を開閉するソレノイド２２１、可動片２６９ａを開閉するソレノイド２６９ｂ並びに回転体２６９ｃを回転駆動する回転体駆動モータ２６９ｅを基本回路２５３からの指令に従って駆動するモータ・ソレノイド回路２５９と、始動入賞記憶表示器２１８の点灯および点滅を行うとともに、表示器２１０と装飾ランプ２２５とを駆動するランプ・ＬＥＤ回路２６０とを含む。
【０１１１】
また、遊技制御基板２３１は、基本回路２５３から与えられるデータに従って、大当りの発生を示す大当り情報、可変表示装置２０８の可変表示に利用された始動入賞球の個数を示す始動情報、確率変動が生じたことを示す確変情報等を外部の管理コンピュータ等に対して出力する第１情報出力回路２６４を含む。
【０１１２】
基本回路２５３は、ＲＯＭ２５４、ＲＡＭ２５５、ＣＰＵ２５６、Ｉ／Ｏポート２５７、および、クロック発生部２５０を含む。ＲＯＭ２５４は、ゲーム制御用のプログラム等の各種の情報（データ）を記憶するためのものである。ＲＡＭ２５５は、ワークメモリとして使用されるためのものである。ＣＰＵ２５６は、ゲーム制御用のプログラム等の各種の制御用プログラムに従って遊技制御動作等の制御動作を行う。Ｉ／Ｏポート２５７は、データおよび信号等の各種情報の入出力用に設けられた複数のポートを有する。クロック発生部２５０は、基本回路２５３が動作する場合の基準タイミングとなる動作クロックをＣＰＵ２５６等の基本回路２５３内の各部に与えるものである。
【０１１３】
さらに、遊技制御基板２３１には、電源投入時に基本回路２５３をリセットするための初期リセット回路２６６と、電源投入後に基本回路２５３を定期的にリセットするための定期リセット回路２６５と、基本回路２５３から与えられるアドレス信号をデコードしてＩ／Ｏポート２５７のうちのいずれかのＩ／Ｏポートを選択するための信号を出力するアドレスデコード回路２６７とが設けられている。
【０１１４】
基本回路２５３は、電源投入時において、初期リセット回路２６６により初期リセットされる。また、電源投入後、基本回路２５３は、定期リセット回路２６５により定期的（例えば、２ｍｓ毎）にリセットされ、割込み処理が実行される。これにより、割込み処理が実行される毎に、ゲーム制御用のプログラムが所定位置から再度実行される。
【０１１５】
打玉を発射する打球発射装置５００並びに該打球発射装置５００に打玉を供給する揚送ユニット４００は、発射揚送制御基板２９１上の回路により、前記打球発射装置５００の発射に連動して、前記揚送ユニット４００が間歇的にパチンコ球を揚送して打球発射装置５００に揚送球を供給するように制御される。
【０１１６】
この際、前記操作ノブ２０５により連続した発射操作が為されている場合には、前記揚送ユニット４００の駆動モータ４１０は、連続するパチンコ球の揚送において、回転速度を変化させることなく、ほぼ同一の回転速度にて、球供給スプロケット４１３から間歇的に供給されるパチンコ球を揚送するようになっており、このようにすることは、連続するパチンコ球の揚送において、駆動モータ４１０の回転速度を変化させて打球発射装置５００へのパチンコ球の供給同期を計る場合に比較して、加減速に伴う駆動モータ４１０の損耗を低減できるとともに、揚送球が球通路部４０４内にて踊ることによる不都合や該揚送球が踊ることによる騒音の発生を解消できることから好ましいが、本発明はこれに限定されるものではなく、回転速度を変化させて打球発射装置５００への供給同期を計るようにしても良い。
【０１１７】
そして、発射装置５００による発射球の発射勢いは、前記操作ノブ２０５の操作量に従って発射装置５００内部に設けられている発射強度調整用モータ５１２の動作が制御され、前記発射用スプリング５０４の付勢力が調節されることで、操作ノブ２０５の操作量に従って調整される。すなわち、発射揚送制御基板２９１上の回路によって、操作ノブ２０５の操作量に応じた速度で打球が発射されるように制御される。
【０１１８】
また、遊技制御基板２３１から表示制御基板２８０には、可変表示装置２０８の可変表示部２０９の表示制御に関する指令情報として、表示制御コマンドデータと、ストローブ信号としての割込信号（以下、表示制御信号ＩＮＴともいう）とが伝送される。表示制御基板２８０側では、表示制御コマンドデータＣＤの指令内容にしたがって、可変表示部２０９の表示制御を行う。
【０１１９】
遊技制御基板２３１からランプ制御基板２３５には、ランプ制御基板２３５により制御が行われる遊技効果ＬＥＤ２２８ａ、賞球ランプ２５１、玉切れランプ２５２、および、遊技効果ランプ２２８ｂ、２２８ｃの制御に関する指令情報としてのランプ制御信号等の情報が伝送される。
【０１２０】
遊技制御基板２３１から音声制御基板２７０には、音声制御基板２７０によりスピーカ２２７から出力される効果音等の音声の制御に関する指令情報としての音声制御用コマンドデータ等の情報が伝送される。この音声制御用コマンドデータに応じて、音声制御基板２７０内に設けられた音声制御用のマイクロコンピュータは、スピーカ２２７からの効果音の発生等の音声制御を行う。
【０１２１】
また、基本回路２５３は、入賞球検出スイッチ２９９ａ〜ｃ検出信号と始動入賞口スイッチ２１７の検出信号、Ｖカウントスイッチ２２２の検出信号、カウントスイッチ２２３の検出信号に基づいて、所定個数の賞球を払出すための賞球信号を賞球制御基板２３７に出力する。賞球制御基板２３７では、その出力されてきた賞球信号に基づいて玉払出装置２９７を制御して所定個数の賞球を払出すための制御を行う。
【０１２２】
具体的には、可変入賞球装置２１９の大入賞口に入賞した入賞球については１個の入賞球がカウントＳＷに検出されることで例えば１５個の賞球が払出され、始動入賞口２１４に入賞した入賞球については１個の入賞球が始動入賞口ＳＷに検出されることでたとえば５個の賞球が払出され、その他の入賞口２２４ａ〜ｃのいずれかに入賞した入賞球については入賞球１個が各入賞口に対応して設けられた入賞球検出ＳＷ２９９ａ〜ｃのいずれかに検出されることでたとえば５個の賞球が払出されるように制御される。
【０１２３】
このような２種類の個数の賞球を払出制御するべく、遊技制御基板２３１は次のように制御動作を行う。入賞球検出スイッチ２６９ｆ、Ｖ球検出スイッチ２６９ｇ、始動入賞口スイッチ２１７、Ｖカウントスイッチ２２２またはカウントスイッチ２２３からの検出信号が入力されると、その検出信号を賞球の払出個数決定の際に用いる払出個数決定用データとして、スイッチに応じた賞球の払出個数別に一時的に内部に記憶する。その後、入賞球検出スイッチ２９９ａ〜ｃのいずれかの検出信号が入力されれば、その入力以前に始動入賞口スイッチ２１７からの検出信号があったかどうかを払出個数決定用データを参照することによって判断し、あった場合には遊技制御基板２３１は賞球制御基板２３７に対し「５」の賞球個数を払出指令するための賞球指令信号を出力する。また、カウントスイッチ２２３またはＶカウントスイッチ２２２からの検出信号があった場合には、「１５」の賞球個数を払出指令するための賞球指令信号を出力する。一方、入賞球検出スイッチ２９９ａ〜ｃのいずれかからの検出信号があった場合において、それ以前に始動入賞口スイッチ２１７、カウントスイッチ２２３またはＶカウントスイッチ２２２からのいずれかからも検出信号が入力されていなかった場合には、遊技制御基板２３１は「５」の賞球個数の賞球指令信号を賞球制御基板２３７に出力する。賞球制御基板２３７においては、賞球指令信号に基づいて、玉払出装置２９７から賞球を払出させる制御が払出制御用マイクロコンピュータにより実行される。
【０１２４】
また、満タンスイッチ２１３からの検出信号が満タン状態を示している場合には、その状況に応じて、賞球禁止指令信号を賞球制御基板２３７へ送り、玉払出装置２９７による賞球の払出を停止させる。
【０１２５】
また、賞球制御基板２３７上には、第２情報出力回路部２６８が設けられており、これら賞球制御基板２３７において制御される賞球の払い出し数の情報等を外部出力できるようになっている。
【０１２６】
また、賞球制御基板２３７は、前記カードユニット３のカードユニット制御基板（図示略）に設けられたＩ／Ｏポート３１９に接続ケーブル２６２並びに接続コネクタ２６３（図２、図８参照）を介して接続されており、後述の貸出完了信号（ＥＸＳ）やパチンコ機レディー信号（ＰＲＤＹ）が前記カードユニット３に設けられた後述のマイクロプロセッシングユニット（ＭＰＵ）３２１に出力されるようになっているとともに、前記カードユニット３のＭＰＵ３２１より出力される後述のカードユニットレディー信号（ＢＲＤＹ）や貸出要求完了確認信号（ＢＲＱ）が入力されるようになっている。
【０１２７】
また、前記操作基板１８は、図２並びに図８に示すように、前記カードユニット３のＩ／Ｏポート３１９に接続ケーブル２６２並びに前記接続コネクタ２６３を介して接続されており、前記貸出ボタン１６が操作されて遊技者による玉貸し操作がなされた場合に出力される貸出入力信号や、返却ボタン１５が操作されて遊技者による後述のカード挿入口３１４に挿入されたプリペイドカードの返却操作がなされた場合に出力される返却入力信号が前記カードユニット３のＭＰＵ３２１に出力されるようになっているとともに、該ＭＰＵ３２１からは、前記度数表示部１７の表示制御を行う度数信号が入力されるようになっており、これら度数表示部１７の表示制御が前記カードユニット３のＭＰＵ３２１からの出力信号によって実施されるようになっている。
【０１２８】
次いで、本実施例に用いたカードユニット３について図１並びに図８に基づき説明すると、該カードユニット３の前面には、図１に示すように、点灯によりカードユニット３の動作を報知する動作ランプ３０１と、プリペイドカードが使用可能状態であるか否かを表示する使用可能表示器３０２と、当該カードユニット３がいずれの側のパチンコ機２に対応しているか否かを表示するための連結台方向表示器３０３と、プリペイドカードを挿入可能とされたカード挿入口３１４と、が設けられている。
【０１２９】
このカードユニット３の構成を説明すると、図８に示すように、前記動作ランプ３０１や、使用可能表示器３０２や、連結台方向表示器３０３に加えて、前記カード挿入口３１４に連設され、挿入されるプリペイドカードに記録されている後述の識別情報（ＩＤ）や遊技用価値である度数の読み出し並びに遊技により更新された新たな度数の書き込み等を行うカードリーダライタ３１７と、前記挿入されたプリペイドカードから読み出しおよび書き込まれる度数等を記憶するとともに、後述するＭＰＵ３２１が実行する制御内容等が記述された制御プログラム等を記憶する記憶部３１８と、前記接続ケーブル２６２が接続され、前記パチンコ機２の賞球制御基板２３７や操作基板１８との各種信号の入出力が行われるＩ／Ｏポート３１９と、通信ケーブルを介して図示しない管理コンピュータとのデータ通信を行うための通信部３２５と、これら各部並びに前記操作基板１８に実装された度数表示部１７の表示制御や入力検出等を行うＭＰＵ３２１と、を具備しており、これら各部は図８に示すように接続されている。
【０１３０】
また、これら各カードユニット３は、前述のように、図示しない管理コンピュータに接続されており、前記プリペイドカードが挿入された場合や、該挿入されているプリペイドカードから読み出され記憶部３１８に記憶されている度数に変更が加えられた場合や、該挿入されているプリペイドカードの返却処理並びに回収処理等が行われた場合に、該プリペイドカードに記録された後述の識別情報（ＩＤ）や度数データ、変更された新たな度数データ等が前記管理コンピュータに出力されるようになっている。
【０１３１】
前記カード挿入口３１２に挿入されるプリペイドカードには、個々のプリペイドカードを識別可能な識別情報（ＩＤ）が付与、記録されているとともに、前記管理コンピュータにおいてこれらプリペイドカードのＩＤと、該当するプリペイドカードが該当する度数とが対応付けて登録されており、前記プリペイドカードに記録された識別情報（ＩＤ）に基づいて、該プリペイドカードにより使用可能な度数が、前記管理コンピュータにて特定され、該カードユニット３に通知されて前記記憶部３１８に記憶されることで、該記憶された度数に基づき前記パチンコ機２の遊技に使用されるパチンコ玉の貸出を行う貸出処理が実施可能とされている。
【０１３２】
この貸出処理の制御状況を図９に基づいて説明すると、まず前記パチンコ機２の賞球制御基板２３７は、該パチンコ機２の球タンク２３８（図２参照）に玉が供給されてパチンコ玉の払出が可能な状態となるとスタンバイ状態となり、前記ＰＲＤＹをＬＯＷとしてカードユニット３のＭＰＵ３２１に出力する（Ｓ１）。
【０１３３】
このようにＰＲＤＹがＬＯＷとされている状態において前記貸出ボタン１６が操作されると、カードユニット３のＭＰＵ３２１は、前記ＢＲＤＹをＬＯＷとして前記賞球制御基板２３７に出力し（Ｓ２）、この状態において、更に前記ＢＲＱをＬＯＷとして前記賞球基板２３７に出力する（Ｓ３）。
【０１３４】
次いで、前記賞球制御基板２３７は、前記ＭＰＵ３２１より出力されているＢＲＤＹを検出している状態においてＢＲＱを検出すると、前記ＥＸＳをＬＯＷとしてＭＰＵ３２１に出力する（Ｓ４）。
【０１３５】
該ＥＸＳのＬＯＷを検出したＭＰＵ３２１は、前記ＢＲＱの出力をＨＩＧＨとし、該ＢＲＱのＨＩＧＨを検出した賞球制御基板２３７は、玉払出装置２９７に玉払出信号を出力し、これに基づき１度数に該当する玉数（本実施例では２５玉）の払出が実施されるとともに、該払出の終了に基づき、前記ＥＸＳの出力をＨＩＧＨとする（Ｓ５）。
【０１３６】
該ＥＸＳのＨＩＧＨを検出したＭＰＵ３２１は、前記カードユニット３のカード挿入部３１４に挿入されているプリペイドカードより読み出されて記憶部３１８に記憶されている度数から１度を減算するとともに、前記度数表示部１７に表示されている度数から１度を減算して表示更新する（Ｓ６）。
【０１３７】
ＭＰＵ３２１は、これら（Ｓ３）〜（Ｓ６）の制御を、１回の貸出ボタン１６の操作に基づいて貸し出される度数分繰返し実施し（図９中においては５度分）、これら制御が終了した後、ＢＲＤＹをＨＩＧＨとして、貸出処理を完了する（Ｓ７）。
【０１３８】
このようにカードユニット３のＭＰＵ３２１からＢＲＱが出力される回数に基づき、前記賞球基板２３７は１度分に該当する数量（２５玉）のパチンコ玉の貸出を実施するようになっており、このようにして貸出されたパチンコ玉を使用して遊技者はパチンコ機２における遊技を実施できるようになっている。
【０１３９】
次に、図２８〜図３０に基づいて、揚送ユニット４００のパチンコ機２の本体からの取り出し方法を説明する。
【０１４０】
図２８には、前面扉枠２００の前面に取り付けられた揚送ユニット４００を示す一部破断右側面図が示されている。すなわち、図２８〜図３０中においては、図面に向かって左側がパチンコ機２の前方とされている。
【０１４１】
揚送ユニット４００における揚送経路ユニット４０６を前面扉枠２００から分離して取り外すには、まず、図示されていない前面扉枠２０２を開放する。このとき、遊技球供給通路の分離部となるクランク流路４１６の下流部に溢流阻止部であるストッパー部４２９が設けられているため、ガラス扉枠２０２を開放して打球供給皿２０３を離脱させても遊技球が溢れ出てしまうことがない（図２２参照）。
【０１４２】
また、このときカバー体４５０内における連結流路４１５内に残留したパチンコ球は、スリット穴４５８から針金等を進入させて連通口４３３から排出させておくことが好ましい。
【０１４３】
次に、係止爪４５５ａ、４５５ｂを壁部側に押し込んで（図２３参照）スライドレール４５４ａ、４５４ｂの係止状態を解除し、そのまま揚送路ケース４０２及びベース板４０１’等を掴んで手前側、すなわち、図中右側に向かって引き出す。
【０１４４】
そして、図２９に示されるように、揚送路ケース４０２の上端が発射装置５００のケース下方よりも前方まで移動させた時点で、揚送スクリュー４０３の下部がカバー体４５０の上方に引き出されるまで揚送路ユニット４０６を若干上昇させて、揚送駆動装置としての駆動モータ４１０の駆動軸４１０ａと揚送スクリュー４０３との連結を解除した後、揚送路ケース４０２をさらに手前側に引き出してケース止め具４５９から離脱させる。これにより揚送経路ユニット４０６の上端部が上方の発射装置５００から、また下端部が下方の下部ユニット４０１からそれぞれ分離されるとともに、パチンコ機２の本体である前面扉枠２００の前面から完全に離脱することになる。
【０１４５】
最後に、ネジ４３６を取り外して揚送路ケース４０３から蓋部材４３４を取り外すことで、互いに一体化された揚送スクリュー４０３及び揚送路ケース４０２を容易に分離できるため、揚送路ケース４０２内から揚送スクリュー４０３のみを取り出すことが出来る。
【０１４６】
このように、揚送装置を構成する複数の構成要素、すなわち、揚送路ケース４０２、揚送スクリュー４０３、駆動モータ４１０及び球供給スプロケット４１３等のうち、少なくとも揚送部材としての揚送スクリュー４０３は、駆動モータ４１０の駆動軸４１０ａとの連係を解除することが出来るとともに、前面扉枠２００から分離自在に構成されているため、揚送路ケース４０２内部に混入した異物の除去作業や、揚送スクリュー４０３の清掃等のメンテナンス作業を、パチンコ機２から取り外してパチンコ機２以外の箇所で行うことが出来ることで、パチンコ機２に取り付けられた状態でメンテナンスをしなくて済むため、メンテナンスの作業性が向上するとともに、パチンコ機２の打球供給皿２０３や他の箇所にゴミや塵等を落とすなどして汚すことなくメンテナンス作業を行うことが出来るばかりか、例えば営業時間中においてメンテナンスが必要になった場合において、他の遊技客に迷惑をかけることなく作業を行うことが出来る。
【０１４７】
また、本実施例の揚送ユニット４００にあっては、揚送スクリュー４０３と揚送路ケース４０２とは蓋部材４３４を介して一体的にユニット化されて揚送経路ユニット４０６として構成されており、該揚送経路ユニット４０６ごと前面扉枠２００から一度に分離出来るようになっていることで、揚送路ケース４０２及びその内部に収容される揚送スクリュー４０３のパチンコ機２から分離作業を容易に行うことが出来る。これにより、揚送経路ユニット４０６内部における球詰まり解除作業や揚送路ケース４０２内部に進入した異物等の除去作業が困難な場合にも容易に対応出来るとともに、パチンコ球との当接により汚れやすい揚送スクリュー４０３や揚送路ケース４０２の清掃作業がより容易になる。
【０１４８】
なお、蓋部材４３４と揚送スクリュー４０３とは、軸支部４３９内に螺入された筒状部材４４１を取り外すことで容易に分離することが出来るため、揚送スクリュー４０３の清掃やメンテナンス等を蓋部材４３４に干渉されることなく行うことが出来る。
【０１４９】
また、図３０に示されるように、揚送経路ユニット４０６を前面扉枠２００から分離した後、下部ユニット４０１をさらに手前側に引き出して、スライドレール４５４ａ、４５４ｂをガイドレール４５３ａ、４５３ｂから離脱させることにより、駆動モータ４１０を有する下部ユニット４０１も前面扉枠２００から分離させることが出来る。すなわち、本実施例における揚送装置を構成する全ての構成要素（揚送路ケース４０２、揚送スクリュー４０３、駆動モータ４１０、球供給スプロケット４１３等）を前面扉枠２００から分離することが出来るので、揚送スクリュー４０３や揚送路ケース４０２のみならず、揚送スクリュー４０３を駆動させるための駆動モータ４１０や、該駆動モータ４１０に連係して設けられる球供給スプロケット４１３等、装置全体のメンテナンス作業等をパチンコ機２から取り外して別の場所で行うことが出来るため、作業性が向上するとともに、パチンコ機２を汚すことがないばかりか、例えば営業時間中においてメンテナンスが必要になった場合において、他の遊技客に迷惑をかけることなく作業を行うことが出来る。
【０１５０】
揚送ユニット４００は、遊技領域２０７及びその周囲を含む前面扉枠２００の前面を覆うように開閉自在に取り付けられたガラス扉枠２０２の内方位置に設けられているため、揚送ユニット４００がガラス扉枠２０２により保護されるばかりか、ガラス扉枠２０２を開放することで揚送ユニット４００が外部に露出するため、営業中等における揚送ユニット４００のトラブルに対しても迅速に対処することができる。
【０１５１】
なお、前面扉枠２００から分離した揚送ユニット４００を再び前面扉枠２００に装着する際の方法を簡略に説明すると、先に下部ユニット４０１をガイドレール４５３ａ、４５３ｂに挿通した後、揚送スクリュー４０３と揚送路ケース４０２とを蓋部材４３４により一体化した揚送経路ユニット４０６を、嵌合凹部４５６内に駆動軸４１０ａの先端を嵌合させるようにして下部ユニット４０１に連結する。最後に、これら揚送経路ユニット４０６及び下部ユニット４０１を後方に押し込む。このように、前述した分離方法と逆の手順で装着すればよいため、詳細な説明は省略することとする。
【０１５２】
なお、本実施例では、下部ユニット４０１を前方に引き出した状態で揚送経路ユニット４０６ごと下部ユニット４０１から離脱させる方法を説明したが、本実施例の揚送ユニット４００は、例えば図３１に示されるように、揚送路ケース４０２を下部ユニット４０１から離脱させない状態で、揚送路ケース４０２から蓋部材４３４を取り外し、揚送スクリュー４０３のみを揚送路ケース４０２の外部に取り出すことが出来る。よって、例えば揚送路ケース４０２内部にて生じた球詰まり、異物の除去作業や、点検作業等を簡易的に行いたい場合にも対応することが出来る。
【０１５３】
（実施例２）
図３２には、本発明の第２の実施例としての揚送装置６００が示されている。本実施例における揚送装置６００は、揚送ケース４０２の下端と下部ユニット４０１とが、ネジ６５０により連結されて、揚送経路ユニット６０６と下部ユニット４０１とが一体化されている点が上記実施例における揚送装置４００と相違する点であり、その他の構成は上記実施例の揚送ユニット４００と同様に構成されているため、同様の部位には２００を加算した符号を付すことにより、ここでの詳細な説明は省略する。
【０１５４】
上記実施例における揚送ユニット６００は、特に全体のメンテナンス作業を行いたい場合において、下部ユニット６０１及び揚送経路ユニット６０６が互いに連結ネジ６５０により一体化されているため、両者を互いに分離させることなく同時に引き出して、前面扉枠２００から揚送ユニット６００全体を一度に分離させることが出来る。
【０１５５】
よって、揚送ユニット６００を構成する複数の構成要素（揚送路ケース６０２、揚送スクリュー６０３、駆動モータ６１０、球供給スプロケット６１３等）全体のメンテナンス作業を行う場合等において、揚送ユニット６００の前面扉２００からの分離作業を一度の分離作業で簡単に行うことが出来るばかりか、パチンコ機２に装着された状態で、前記複数の構成要素同士の分離作業等を行う必要がなく、作業性が著しく向上するとともに、営業中等における揚送ユニット６００のトラブルに対しても、他の客に迷惑をかけることなく迅速に対処することが出来る。
【０１５６】
（実施例３）
次に、図３３には、本発明の第３の実施例としての揚送装置が示されている。上記実施例における揚送ユニット４００は、揚送路ケース４０２内のパチンコ球を揚送するための揚送部材として、駆動モータ４１０の駆動により軸周りに回転してパチンコ球を揚送する揚送スクリュー４０３が適用されていたが、本発明にあっては、揚送部材は揚送ケース内部に収容され、揚送装置駆動源にて駆動させることにより前記揚送ケース内部の遊技球を揚送するものであれば、揚送スクリュー４０３に限定されるものではなく、例えば図示しない駆動源にて駆動する複数のローラ９０３ａと、これらローラ９０３ａの外周に巻装される揚送ベルト９０３ｂとからなるベルトコンベア９０３等であってもよく、種々に変更可能である。
【０１５７】
このベルトコンベア９０３が揚送路ケース９０２内部に収容されてなる本変形例の揚送ユニット９００は、同じようにベルトコンベア９０３及び揚送路ケース９０２とからなる揚送経路ユニット９０６と、駆動モータや球供給スプロケット等（図示略）が内蔵される下部ユニット９０１と、とから構成されており、ローラ９０３ａを駆動させてベルト９０３ｂを回転させることにより、図示されない球供給スプロケットから供給されるパチンコ球が、ベルト９０３ｂと揚送路ケース９０２の内面との間に入り込み、ベルト９０３ｂにより揚送路ケース９０２の内面に押し当てられた状態でベルト９０３ｂの回転とともに揚送されるようになっている。このようなベルトコンベア９０３が適用された揚送ユニット９００にあっても、少なくともベルトコンベア９０３がパチンコ機２から分離自在に設けられていれば、前述の揚送ユニット４００と同様の作用、効果が得られる。
【０１５８】
前記実施例における各要素は、本発明に対して以下のように対応している。
【０１５９】
本発明の請求項１は、弾球遊技機（パチンコ機２）の下部位置に設けられ、遊技に使用するための遊技球（パチンコ球）を貯留するための打球貯留部（打球供給皿２０３）と、該打球貯留部に貯留されている遊技球を揚送するための揚送装置（揚送ユニット４００、６００、９００）と、弾球遊技機の上部側方位置に設けられ、該揚送装置にて揚送された遊技球を遊技機枠に取り付けられた遊技盤（２０６）上に形成された遊技領域内に打ち出すための発射装置（５００）と、を備える弾球遊技機（パチンコ機２）において、
前記揚送装置は、遊技球の揚送経路を形成する揚送ケース（揚送路ケース４０２、６０２、９０２）と、
前記揚送ケース内部に収容され、前記揚送ケース内部の遊技球を揚送する揚送部材（揚送スクリュー４０３、６０３、ベルトコンベア９０３）と、
前記揚送部材を駆動させるための揚送駆動装置（駆動モータ４１０、６１０）と、
から構成されており、少なくとも前記揚送部材は弾球遊技機の本体（前面扉枠２００）から分離自在に構成されている。
【０１６０】
本発明の請求項２は、前記揚送部材と前記揚送ケース（揚送路ケース４０２）とは一体的にユニット化されて揚送経路ユニット（４０６）として構成されており、該揚送経路ユニットごと弾球遊技機の本体（前面扉枠２００）から分離自在に構成されている。
【０１６１】
本発明の請求項３は、前記揚送駆動装置（駆動モータ４１０）は、前記揚送経路ユニット（４０６）が弾球遊技機の本体（前面扉枠２００）から分離されている状態で弾球遊技機の本体から分離自在に構成されている。
【０１６２】
本発明の請求項４は、前記揚送装置（６００）は、一体的にユニット化されて揚送装置ユニット（６００）として構成されており、該揚送装置ユニットが弾球遊技機の本体（前面扉枠２００）から分離自在に構成されている。
【０１６３】
本発明の請求項５は、前記揚送ケース（揚送路ケース４０２、６０２、９０２）は、少なくともその一部が透明部材により形成されている。
【０１６４】
本発明の請求項６は、前記揚送ケース（揚送路ケース４０２、６０２）は、前記揚送経路の内部を開閉自在とする開閉蓋（開閉部４２５）を備える。
【０１６５】
本発明の請求項７は、前記揚送装置（揚送ユニット４００、６００、９００）を、前記遊技盤（２０６）の前面を覆うように開閉自在に設けられているガラス扉枠（２０２）の内方に備える。
【０１６６】
本発明の請求項８は、前記揚送装置（揚送ユニット４００、６００、９００）は、揚送する遊技球を後続の遊技球（パチンコ球）に当接することなく単独状態にて揚送可能とされている。
【０１６７】
本発明の請求項９は、前記揚送装置（揚送ユニット４００、６００）は、前記打球貯留部（打球供給皿２０３）から供給された遊技球（パチンコ球）を前記揚送部材（揚送スクリュー４０３）に供給するための揚送球供給手段（球供給スプロケット４１３）を備え、該揚送球供給手段を手動にて動作させるための手動動作手段（手動ギア４５７）が設けられている。
【０１６８】
本発明の請求項１０は、前記打球貯留部（打球供給皿２０３）に供給された遊技球（パチンコ球）を前記揚送装置（揚送ユニット４００、６００）へ供給する誘導通路部材（連結流路４１５）を備え、該誘導通路部材所定箇所には、内部の遊技球が逸脱不能な窓部（スリット穴４５８）が設けられている。
【０１６９】
以上、本発明の実施形態を図面により前記実施例にて説明してきたが、本発明はこれら各実施例に限定されるものではなく、本発明の主旨を逸脱しない範囲における変更や追加があっても本発明に含まれることは言うまでもない。
【０１７０】
例えば、前記実施例においては、揚送路内に存在するパチンコ球を２つとしているが、本発明はこれに限定されるものではなく、十分な揚送速度が得られる場合は、これら揚送路内に存在するパチンコ球を１つ或いは０とするようにしても良い。
【０１７１】
また、前記実施例における揚送装置４００、６００においては、下部ユニット４０１、６０１に揚送球供給手段としての球供給スプロケット４１３が一体的に設けられていたが、本発明の揚送装置は、少なくとも揚送ケース、揚送部材、揚送駆動装置とから構成されていればよく、球供給スプロケット４１３は揚送装置の一部を構成する下部ユニット４０１、６０１に必ずしも設けられていなくてもよい。
【０１７２】
【発明の効果】
本発明は次の効果を奏する。
【０１７３】
（ａ）請求項１の発明によれば、少なくとも揚送部材を弾球遊技機の本体から分離することが出来るため、揚送ケース内部に混入した異物の除去作業や揚送部材の清掃等のメンテナンス作業を弾球遊技機以外の箇所で行うことが出来るため、メンテナンスの作業性が向上するとともに、弾球遊技機を汚すことなくメンテナンス作業を行うことが出来る。
【０１７４】
（ｂ）請求項２の発明によれば、揚送ケース及びその内部に収容される揚送部材の弾球遊技機の本体から分離作業を容易に行うことが出来る。
【０１７５】
（ｃ）請求項３の発明によれば、揚送部材を駆動する揚送駆動装置も弾球遊技機の本体から分離することが出来るので、揚送部材や揚送ケースのみならず、装置全体のメンテナンス作業等を弾球遊技機以外の箇所で行うことが出来る。
【０１７６】
（ｄ）請求項４の発明によれば、揚送装置全体を弾球遊技機の本体から一度に分離出来ることで、揚送装置を弾球遊技機本体から容易に分離することが出来るため、営業中等における揚送装置のトラブルに対しても、迅速に対処することができる。
【０１７７】
（ｅ）請求項５の発明によれば、揚送ケース内部の揚送経路の状況を、揚送ケースや揚送部材等を弾球遊技機から分離することなく、外部から容易に視認することが出来る。
【０１７８】
（ｆ）請求項６の発明によれば、揚送ケース内部に混入した異物の除去作業や清掃作業等を、揚送ケースや揚送部材等を弾球遊技機から分離することなく、開閉蓋部を開放することで外部から容易に行うことが出来る。
【０１７９】
（ｇ）請求項７の発明によれば、揚送装置がガラス扉枠により保護されるばかりか、ガラス扉枠を開放することで揚送装置が外部に露出するため、営業中等における揚送装置のトラブルに対しても、迅速に対処することができる。
【０１８０】
（ｈ）請求項８の発明によれば、揚送経路内に残留する遊技球を極力すくなくすることが可能となり、これら揚送経路内に残留する遊技球の返却機構等による機構の複雑化を回避できるばかりか、揚送部材や揚送ケースの分離作業時において、これら残留する遊技球が大量に溢れだしてしまうことも回避できる。
【０１８１】
（ｉ）請求項９の発明によれば、揚送球供給手段での球詰まりや異物の除去作業を、手動作業にて容易に行うことが出来る。
【０１８２】
（ｊ）請求項１０の発明によれば、誘導通路部材内部に混入した異物の除去作業や、誘導通路部材の内部の遊技球の排出作業等を、誘導通路部材を取り外したりすることなく、窓部から針金等を挿入させることで容易に除去することが出来る。
【図面の簡単な説明】
【図１】本発明における実施例の弾球遊技機並びにカードユニットを示す正面図である。
【図２】本発明における実施例の弾球遊技機並びにカードユニットを示す背面図である。
【図３】本発明における実施例の弾球遊技機におけるガラス扉枠の開放状態を示す図である。
【図４】本発明の実施例における弾球遊技機の前面下部部分の構成を示す拡大図である。
【図５】本発明における実施例の弾球遊技機における機構板によるパチンコ球流路を示す図である。
【図６】本発明における実施例の弾球遊技機における機構板を示す斜視図である。
【図７】本発明の実施例における弾球遊技機の構成を示すブロック図である。
【図８】本発明の実施例における弾球遊技機とカードユニットとの接続状況並びに該カードユニットの構成を示すブロック図である。
【図９】本発明の実施例における弾球遊技機の賞球制御基板とカードユニットとから出力される各信号の出力状況を示す図である。
【図１０】本発明の実施例の弾球遊技機に用いた払出装置を示す図である。
【図１１】（ａ）、（ｂ）は、本発明の実施例の弾球遊技機における払出状況の説明図である。
【図１２】（ａ）は、本発明の実施例に用いた揚送装置並びに発射装置を示す側断面詳細図である。
（ｂ）は、本発明の実施例に用いた揚送装置のＡ−Ａ断面図である。
【図１３】本発明の実施例に用いた揚送装置の下端部分を示す透視斜視図である。
【図１４】（ａ）〜（ｄ）は、本発明の実施例の揚送装置へのパチンコ球の供給状況の説明図である。
【図１５】（ａ）〜（ｃ）は、本発明の実施例に用いた発射装置における発射状況を示す図である。
【図１６】（ａ）〜（ｃ）は、本発明の実施例に用いた発射装置におけるファール球の取込状況を示す図である。
【図１７】本発明の実施例の弾球遊技機における通常時の遊技球の流れを示す図である。
【図１８】本発明の実施例の弾球遊技機におけるファール球の流れを示す図である。
【図１９】本発明の実施例の弾球遊技機における待機球返却時の遊技球の流れを示す図である。
【図２０】本発明の実施例の弾球遊技機における待機球返却部の周囲の構成を示す拡大透視図である。
【図２１】（ａ）は、待機球返却部の返却操作時の状況を示す上面図である。
（ｂ）は、待機球返却部の通常時の状況を示す上面図である。
【図２２】（ａ）は、ガラス扉枠２０２の解放時のストッパー部の状態を示す図である。
（ｂ）は、ガラス扉枠２０２の開閉時のストッパー部の状態を示す図である。
【図２３】（ａ）は下部ユニットを示す正面図であり、（ｂ）は（ａ）のＢ−Ｂ断面図であり、（ｃ）は（ｂ）の状態から下部ユニットを引き出した状態を示す断面図である。
【図２４】揚送スクリューと駆動軸との連結構成を示す一部破断側面図である。
【図２５】手動ギアを示すための下部ユニットの斜視図である。
【図２６】蓋部材の構造を示す断面図である。
【図２７】ケース止め具を示す要部断面図である。
【図２８】揚送ユニットが前面扉枠に装着された状態を示す一部破断側面図である。
【図２９】揚送ユニットが前面扉枠から分離された状態を示す一部破断側面図である。
【図３０】下部ユニットが前面扉枠から分離された状態を示す一部破断側面図である。
【図３１】揚送スクリューが揚送路ケースから引き出された状態を示す一部破断側面図である。
【図３２】本発明の第２の実施例としての揚送ユニット全体が前面扉枠に装着された状態を示す一部破断側面図である。
【図３３】本発明の第３の実施例としての揚送ユニットを示す概略正面図である。
【符号の説明】
２　　　　パチンコ機（弾球遊技機）
３　　　　カードユニット
１４　　　操作部
１５　　　返却ボタン
１６　　　貸出ボタン
１７　　　度数表示部
１８　　　操作基板
２００　　前面扉枠
２０１　　基枠
２０２　　ガラス扉枠
２０３　　打球供給皿（上皿）
２０３’　上皿ハウジング
２０４　　余剰玉受皿（下皿）
２０４’　下皿ハウジング
２０５　　打球操作ハンドル（操作ノブ）
２０６　　遊技盤
２０７　　遊技領域
２０８　　可変表示装置
２０９　　可変表示部
２１０　　表示器
２１１ａ　通過ゲート
２１１ｂ　通過ゲート
２１１ｃ　通過ゲート
２１２ａ　ゲートスイッチ
２１２ｂ　ゲートスイッチ
２１２ｃ　ゲートスイッチ
２１３　　満タンスイッチ
２１４　　始動入賞口
２１５　　可動片
２１６　　ソレノイド
２１７　　始動ロスイッチ
２１８　　始動入賞記憶表示器
２１９　　可変入賞球装置
２２０　　開閉板
２２１　　ソレノイド
２２２　　Ｖカウントスイッチ
２２３　　カウントスイッチ
２２４ａ　入賞口
２２４ｂ　入賞口
２２４ｃ　入賞口
２２５　　装飾ランプ
２２６　　アウト口
２２７　　スピーカ
２２８ａ　遊技効果ＬＥＤ
２２８ｂ　遊技効果ランプ
２２８ｃ　遊技効果ランプ
２２９　　可変表示制御ユニット
２３０　　誘導傾斜樋流入口
２３１　　遊技制御基板
２３２　　遊技制御基板ボックス
２３３　　球切れスイッチ
２３４　　下皿開口レバー
２３５　　ランプ制御基板
２３６　　機構板
２３７　　賞球制御基板
２３８　　球タンク
２３９　　誘導樋
２４０　　開口窓
２４１　　シリンダ錠
２４２　　待機球返却樋
２４３　　カーブ樋
２４４　　球供給樋
２４５　　球供給通路
２４６　　球抜き通路
２４７　　球抜き弁
２４８ａ　賞球用カウントスイッチ
２４８ｂ　貸出球カウントスイッチ
２４９　　玉ならし部材
２５０　　クロック発生部
２５１　　賞球ランプ
２５２　　玉切れランプ
２５３　　基本回路
２５４　　ＲＯＭ（リードオンメモリー）
２５５　　ＲＡＭ（ランダムアクセスメモリー）
２５６　　ＣＰＵ（セントラルプロセッシングユニット）
２５７　　Ｉ／Ｏポート
２５８　　スイッチ回路
２５９　　ソレノイド回路
２６０　　ランプ・ＬＥＤ回路
２６２　　接続ケーブル
２６３　　接続コネクタ
２６４　　第１情報出力回路
２６５　　定期リセット回路
２６６　　初期リセット回路
２６７　　アドレスデコード回路
２６８　　第２情報出力部
２６９　　役物装置
２６９ａ　可動片
２６９ｂ　ソレノイド
２６９ｃ　回転体
２６９ｄ　Ｖ入賞口
２６９ｅ　回転体駆動モータ
２６９ｆ　入賞球検出スイッチ
２６９ｇ　Ｖ球検出スイッチ
２７０　　音声制御基板
２７１　　余剰球通路
２７２　　電源ユニットボックス
２７３　　賞球通路
２７４　　上皿連通口
２７６　　入賞球誘導通路
２７７　　アウト球通路
２７８　　入賞球落下入口
２７９　　連通口
２８０　　表示制御基板
２８１　　凹部
２８２　　連通口
２８３　　誘導傾斜樋
２８３’　誘導傾斜樋
２８４　　横架突出板
２８６　　合流通路
２８７　　合流排出通路
２８８　　ファール球流入口
２８９　　ボックス樋
２９０　　枠用スイッチ中継基板
２９１　　発射揚送制御基板
２９２　　ランプモジュール
２９４　　流入口
２９５　　ファール球流路
２９６　　返却操作ボタン
２９７　　玉払出装置
２９８　　連通口
２９９ａ　入賞球検出スイッチ
２９９ｂ　入賞球検出スイッチ
２９９ｃ　入賞球検出スイッチ
３０１　　動作ランプ
３０２　　使用可能表示器
３０３　　連結台方向表示器
３１４　　カード挿入口
３１７　　カードリーダライタ
３１８　　記憶部
３１９　　Ｉ／Ｏポート
３２１　　マイクロプロセッシングユニット（ＭＰＵ）
３２５　　通信部
４００　　揚送ユニット
４０１　　下部ユニット
４０１’　ベース板
４０２　　揚送路ケース
４０２ａ　フランジ部
４０３　　揚送スクリュー
４０３ａ　外周部
４０３ｂ　軸部
４０４　　球通路部
４０５　　スクリュー収容部
４０６　　揚送経路ユニット
４１０　　駆動モータ
４１０’　接続コネクタ
４１０ａ　駆動軸
４１１　　駆動ギア
４１１ａ　小径ギア
４１１ｂ　大径ギア
４１２　　受動ギア
４１２ａ　小径ギア
４１２ｂ　大径ギア
４１３　　球供給スプロケット
４１４　　球収容部
４１５　　連結流路
４１５’　連結流路
４１６　　クランク流路
４１７　　球供給口
４２０　　待機球返却部
４２１　　開口
４２２　　スプリング
４２３　　スライド板
４２４　　連結棒
４２５　　開閉部
４２９　　ストッパー部
４３０　　スライド板
４３０’　スライド板
４３１　　係合部
４３２　　付勢バネ
４３３　　連通口
４３４　　蓋部材
４３５　　ネジ穴
４３６　　ネジ
４３７　　ネジ挿通穴
４３８　　リブ
４３９　　軸支部
４４０　　ベアリング
４４１　　筒状部材
４５０　　カバー体
４５１　　嵌合部
４５２　　下部ユニット収容部
４５３ａ、４５３ｂ　　ガイドレール
４５４ａ、４５４ｂ　　スライドレール
４５５ａ、４５５ｂ　　係止爪
４５６　　嵌合凹部
４５７　　手動ギア
４５８　　スリット穴
４５９　　ケース止め具
５００　　発射装置
５００’　発射装置
５０１’　カム軸
５０１ａ　リフト用カム
５０１ｂ　発射用カム
５０２　　球リフトアーム
５０３　　発射アーム
５０４　　発射用スプリング
５０５　　スライド片
５０６　　リフト用スプリング
５０７　　ファール球通路弁
５０８　　発射レール
５０９　　発射路
５１０　　外装ケース
５１１　　カム駆動モータ
５１２　　発射強度調整用モータ
６００　　揚送装置
６０１　　下部ユニット
６０２　　揚送ケース
６０３　　揚送スクリュー
６０６　　揚送経路ユニット
６５０　　連結ネジ
９００　　揚送装置
９０１　　下部ユニット
９０２　　揚送ケース
９０３　　ベルトコンベア
９０３ａ　ローラ
９０３ｂ　ベルト
９０６　　揚送経路ユニット
【図１】
2004105388.tif 000003
【図２】
2004105388.tif 000004
【図３】
2004105388.tif 000005
【図４】
2004105388.tif 000006
【図５】
2004105388.tif 000007
【図６】
2004105388.tif 000008
【図７】
2004105388.tif 000009
【図８】
2004105388.tif 000010
【図９】
2004105388.tif 000011
【図１０】
2004105388.tif 000012
【図１１】
2004105388.tif 000013
【図１２】
2004105388.tif 000014
【図１３】
2004105388.tif 000015
【図１４】
2004105388.tif 000016
【図１５】
2004105388.tif 000017
【図１６】
2004105388.tif 000018
【図１７】
2004105388.tif 000019
【図１８】
2004105388.tif 000020
【図１９】
2004105388.tif 000021
【図２０】
2004105388.tif 000022
【図２１】
2004105388.tif 000023
【図２２】
2004105388.tif 000024
【図２３】
2004105388.tif 000025
【図２４】
2004105388.tif 000026
【図２５】
2004105388.tif 000027
【図２６】
2004105388.tif 000028
【図２７】
2004105388.tif 000029
【図２８】
2004105388.tif 000030
【図２９】
2004105388.tif 000031
【図３０】
2004105388.tif 000032
【図３１】
2004105388.tif 000033
【図３２】
2004105388.tif 000034
【図３３】
2004105388.tif 000035